(57)【要約】【課題】表示ディスプレイからユーザの所望する情報を、時間を要さずに取得して情報端末に表示させることができる表示方法を提供する。【解決手段】情報端末を用いて、特定イベントのサービスのうちの少なくとも一のサービスの申し込みであるサービス申込を行う申込ステップ（Ｓ１０）と、複数のイベント情報を表示する表示ディスプレイの表示面に向けて情報端末をかざすことで情報端末が表示ディスプレイと可視光通信を行うことにより、複数のイベント情報を取得する取得ステップ（Ｓ１１）と、取得ステップ（Ｓ１１）で取得された複数のイベント情報に、少なくとも一のサービスに関連する情報である関連情報が含まれている場合に、関連情報を、情報端末の表示部に表示する表示ステップ（Ｓ１２）とを含む。【選択図】図７
2015111806.tif 000002
【特許請求の範囲】
【請求項１】
情報端末を用いて、特定イベントのサービス申込を行う申込ステップと、
複数のイベント情報を表示する表示ディスプレイの表示面に向けて情報端末をかざすことで前記情報端末が前記表示ディスプレイと可視光通信を行うことにより、前記複数のイベント情報を取得する取得ステップと、
前記取得ステップで取得された前記複数のイベント情報に、前記サービス申込の内容に関連する情報である関連情報が含まれている場合に、前記関連情報を、前記情報端末の表示部に表示する表示ステップとを含む、
表示方法。
【請求項２】
前記申込ステップは、前記サービス申込の内容を示すサービス申込情報を、前記情報端末に保存する保存ステップを含み、
前記表示ステップは、
前記情報端末が、前記保存ステップで前記情報端末に保存された前記サービス申込情報と、前記取得ステップで取得された前記複数のイベント情報とを比較して、前記複数のイベント情報に前記サービス申込情報を示唆する情報が含まれている場合に、前記複数のイベント情報に、前記関連情報が含まれていると判断するステップを含む、
請求項１に記載の表示方法。
【請求項３】
前記申込ステップは、前記サービス申込の内容を示すサービス申込情報を、サーバに保存する保存ステップを含み、
前記表示ステップは、
前記サーバが、前記保存ステップで前記サーバに保存された前記サービス申込情報と、前記取得ステップで取得された前記複数のイベント情報とを比較して、前記複数のイベント情報に前記サービス申込情報を示唆する情報が含まれている場合に、前記複数のイベント情報に、前記関連情報が含まれていると判断するステップを含む、
請求項１に記載の表示方法。
【請求項４】
前記申込ステップは、
前記サービス申込の内容を示すサービス申込情報を、サーバと異なる他のサーバに保存する第１の保存ステップと、
前記他のサーバから、前記サーバに、前記第１の保存ステップで保存された前記サービス申込情報を送信し、前記サーバに前記サービス申込情報を保存する第２の保存ステップとを含み、
前記表示ステップは、
前記サーバが、前記第２の保存ステップで保存された前記サービス申込情報と前記取得ステップで取得された前記複数のイベント情報とを比較して、前記複数のイベント情報に前記サービス申込情報を示唆する情報が含まれる場合に、前記複数のイベント情報に、前記関連情報が含まれていると判断するステップを含む、
請求項１に記載の表示方法。
【請求項５】
前記申込ステップは、
前記サービス申込の内容を示すサービス申込情報を、サーバに保存する第１の保存ステップと、
前記サーバから、前記情報端末に、前記第１の保存ステップで保存された前記サービス申込情報を送信し、前記情報端末に前記サービス申込情報を保存する第２の保存ステップとを含み、
前記表示ステップは、
前記情報端末が、前記第２の保存ステップで前記情報端末に保存された前記サービス申込情報と前記取得ステップで取得された前記複数のイベント情報とを比較して、前記複数のイベント情報に前記サービス申込情報を示唆する情報が含まれる場合に、前記複数のイベント情報に、前記関連情報が含まれていると判断するステップを含む、
請求項１に記載の表示方法。
【請求項６】
前記取得ステップは、
前記情報端末が前記表示ディスプレイと可視光通信を行うことにより、ＩＤ情報を取得し、取得した前記ＩＤ情報を、前記サーバに送信する送信ステップと、
前記サーバが、前記送信ステップで送信された前記ＩＤ情報に紐付けられた情報として、前記複数のイベント情報を取得するステップとを含む、
請求項３に記載の表示方法。
【請求項７】
前記サービス申込は、展示会のチケットの予約および購入、博覧会のチケットの予約および購入、展覧会のチケットの予約および購入、コンサートのチケットの予約および購入、競技大会の参加券または観戦チケットの予約および購入、講義の予約および購入、セミナーの参加予約、レストランの予約、車の予約および購入、乗車券の予約および購入、航空機の座席の予約および購入、並びに、船の乗船券の予約および購入のうち少なくとも一を含む、
請求項６に記載の表示方法。
【請求項８】
さらに、前記関連情報に含まれる前記サービス申込の内容が変更された場合、前記情報端末に、変更された内容に関する情報をアラート通知させるアラートステップを含む、
請求項７に記載の表示方法。
【請求項９】
前記表示ステップでは、前記関連情報のうち、前記サービス申込の内容を示す情報を強調して表示する、
請求項８に記載の表示方法。
【請求項１０】
前記表示ステップでは、前記関連情報を、表示ディスプレイの表示面で前記複数のイベント情報が表示される態様で、前記情報端末の表示部に表示し、
前記態様は、前記表示面で表示される文字、背景色およびスタイル情報である、
請求項９に記載の表示方法。
【請求項１１】
前記表示ステップでは、さらに、前記関連情報のうち、前記サービス申込の内容を示す情報以外の情報を、グレーアウトで前記情報端末の表示部に表示する、
請求項１０に記載の表示方法。
【請求項１２】
前記表示ステップでは、前記関連情報に含まれる前記サービス申込の内容が変更された場合、前記関連情報のうち、変更された内容に関する情報を、変更されなかった内容に関する情報と比較して大きく表示する、
請求項１１に記載の表示方法。
【請求項１３】
前記表示ステップでは、前記複数のイベント情報を前記情報端末の表示部に表示し、前記複数のイベント情報のうち、前記関連情報を強調して表示することで、前記関連情報を、前記情報端末の表示部に表示する、
請求項１２に記載の表示方法。
【請求項１４】
情報端末を用いて、ユーザの属性情報を、サーバまたは情報端末に登録する登録ステップと、
複数の商品情報を表示する表示ディスプレイの表示面に向けて前記情報端末をかざすことで前記情報端末が前記表示ディスプレイと可視光通信を行うことにより、前記複数の商品情報を取得する取得ステップと、
前記取得ステップで取得された前記複数の商品情報のうちから、前記登録ステップで登録された前記ユーザの属性情報に適した特定の商品情報を抽出し、抽出した前記特定の商品情報を前記情報端末の表示部に表示する表示ステップとを含む、
表示方法。
【請求項１５】
前記属性情報には、ユーザの性別および年齢のうちの少なくとも一方が含まれ、
前記商品情報には、商品の情報に加えて、前記商品に適した性別情報および年齢情報のうちの少なくとも一方が含まれ、
前記表示ステップは、
前記属性情報に含まれる前記ユーザの性別と前記商品情報に含まれる前記性別情報とを比較、または、前記属性情報に含まれる前記年齢と前記商品情報に含まれる前記年齢情報とを比較することにより、前記特定の商品情報を抽出するステップを含む、
請求項１４に記載の表示方法。
【請求項１６】
前記属性情報には、前記ユーザの嗜好特性が含まれ、
さらに、または前記登録ステップに代えて、前記ユーザの購買履歴に基づいて、前記嗜好特性を決定する決定ステップを有し、
前記表示ステップでは、
前記決定ステップで決定された嗜好特性を用いて、前記取得ステップで取得された前記複数の商品情報のうちから、前記ユーザの属性情報に適した特定の商品情報を抽出する、
請求項１４に記載の表示方法。
【請求項１７】
前記商品情報には、商品の価格が含まれ、
さらに、
前記取得ステップで過去に取得された過去の複数の商品情報を記録する記録ステップと、
前記表示ステップで抽出された前記特定の商品情報に含まれる価格が、前記過去の複数の商品情報に含まれ、前記特定の商品情報に対応する商品情報に含まれる価格よりも安い場合には、前記情報端末にアラートさせるアラートステップとを含む、
請求項１５に記載の表示方法。
【請求項１８】
前記商品情報には、商品の在庫情報が含まれ、
前記表示ステップでは、
前記在庫情報により、抽出した前記特定の商品情報に示される商品の在庫が切れていることを確認した場合には、前記特定の商品情報の代わりに、インターネットから購入するためのウェブサイトを前記情報端末の表示部に表示する、
請求項１７に記載の表示方法。
【請求項１９】
前記属性情報には、さらに、前記情報端末の表示部に表示すべき言語である表示言語を選択するための言語情報が含まれ、
前記表示ステップでは、前記特定の商品情報を、前記言語情報に基づき選択された前記表示言語に翻訳して表示する、
請求項１４に記載の表示方法。
【請求項２０】
前記表示ステップでは、さらに、前記関連情報を、前記情報端末の表示部に表示すべき言語である表示言語を選択するための言語情報に基づき選択された表示言語に翻訳して表示する、
請求項７に記載の表示方法。
【発明の詳細な説明】
【技術分野】
【０００１】
本発明は、表示方法に関する。
【背景技術】
【０００２】
近年、電子看板システム（デジタルサイネージ等）が普及しつつある。そのため、例えば情報端末を用いて、電子看板システムから電子看板に表示される商品等の情報を取得して、表示するといった技術が期待されている。
【０００３】
例えば特許文献１では、拡張現実技術と可視光通信を組み合わせて利用することで案内画像情報とその関連情報とを同時に取得可能な案内表示システム及び案内表示方法が提案されている。特許文献１では、情報端末で撮影した電子看板の領域（撮影画像）に関する付加情報を撮影画像に重畳して表示する技術が開示されている。
【先行技術文献】
【特許文献】
【０００４】
【特許文献１】特開２０１１−６１３０５号公報
【発明の概要】
【発明が解決しようとする課題】
【０００５】
しかしながら、上記の従来技術では、情報端末を所有するユーザが自ら電子看板を見ながら所望領域を探し出して撮像する必要がある。すなわち、上記の従来技術ではユーザの所望する情報を取得するまで時間を要するという課題がある。
【０００６】
本発明は、上述の事情を鑑みてなされたもので、表示ディスプレイからユーザの所望する情報を、時間を要さずに取得して情報端末に表示させることができる表示方法を提供することを目的とする。
【課題を解決するための手段】
【０００７】
上記目的を達成するために、本発明の一態様に係る表示方法は、情報端末を用いて、特定イベントのサービス申込を行う申込ステップと、複数のイベント情報を表示する表示ディスプレイの表示面に向けて情報端末をかざすことで前記情報端末が前記表示ディスプレイと可視光通信を行うことにより、前記複数のイベント情報を取得する取得ステップと、前記取得ステップで取得された前記複数のイベント情報に、前記サービス申込の内容に関連する情報である関連情報が含まれている場合に、前記関連情報を、前記情報端末の表示部に表示する表示ステップとを含む。
【０００８】
なお、これらの全般的または具体的な態様は、システム、方法、集積回路、コンピュータプログラムまたはコンピュータで読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００９】
本発明の表示方法によれば、表示ディスプレイからユーザの所望する情報を、時間を要さずに取得して情報端末に表示させることができる。
【図面の簡単な説明】
【００１０】
【図１】図１は、実施の形態１に係る表示システムの全体構成の一例を示す図である。
【図２】図２は、実施の形態１に係る表示システムの使用場面の一例を示す図である。
【図３】図３は、実施の形態１に係る情報端末の構成の一例を示すブロック図である。
【図４】図４は、実施の形態１に係るサービス申込情報のデータ構造の一例を示す図である。
【図５】図５は、実施の形態１に係る表示ディスプレイの構成の一例を示すブロック図である。
【図６】図６は、実施の形態１に係るサーバの構成の一例を示すブロック図である。
【図７】図７は、実施の形態１に係る表示システムの表示方法の処理の流れを示すフローチャートである。
【図８】図８は、実施の形態１に係る表示方法の具体的な処理の流れを示すフローチャート図である。
【図９】図９は、実施の形態１に係る情報端末の表示部に表示される関連情報の一例を示す図である。
【図１０】図１０は、実施の形態１に係る情報端末の表示部に表示される関連情報の一例を示す図である。
【図１１】図１１は、実施の形態１に係る情報端末の表示部に表示される関連情報の一例を示す図である。
【図１２】図１２は、実施の形態１に係る情報端末の表示部に表示される関連情報の一例を示す図である。
【図１３Ａ】図１３Ａは、実施の形態２に係る情報端末の構成の一例を示すブロック図である。
【図１３Ｂ】図１３Ｂは、実施の形態２に係るサーバの構成の一例を示すブロック図である。
【図１４】図１４は、実施の形態２に係る表示システムの表示方法の処理の流れを示すフローチャートである。
【図１５】図１５は、実施の形態２に係る表示方法の具体的な処理の流れを示すフローチャート図である。
【図１６】図１６は、実施の形態３に係る表示システム１Ｂの構成の一例を示すブロック図である。
【図１７】図１７は、実施の形態３に係る表示システムの表示方法の処理の流れを示すフローチャートである。
【図１８】図１８は、実施の形態３に係る表示方法の具体的な処理の流れを示すフローチャート図である。
【図１９】図１９は、実施の形態４に係る情報端末の構成の一例を示すブロック図である。
【図２０】図２０は、実施の形態４に係る第１のサーバの構成の一例を示すブロック図である。
【図２１】図２１は、実施の形態４に係る表示システムの表示方法の処理の流れを示すフローチャートである。
【図２２】図２２は、実施の形態４に係る表示方法の具体的な処理の流れを示すフローチャート図である。
【図２３】図２３は、実施の形態５に係る表示システムの全体構成の一例を示す図である。
【図２４】図２４は、実施の形態５に係る表示システムの使用場面の一例を示す図である。
【図２５】図２５は、実施の形態５に係る情報端末の構成の一例を示すブロック図である。
【図２６】図２６は、実施の形態５に係るサーバの構成の一例を示すブロック図である。
【図２７】図２７は、実施の形態５に係る表示システムの表示方法の処理の流れを示すフローチャートである。
【図２８】図２８は、実施の形態５に係る表示方法の具体的な処理の流れを示すフローチャート図である。
【図２９】図２９は、実施の形態５に係る情報端末の表示部に表示される商品情報の一例を示す図である。
【図３０】図３０は、実施の形態５に係る情報端末の表示部に表示される商品情報の一例を示す図である。
【図３１】図３１は、実施の形態６に係る情報端末の構成の一例を示すブロック図である。
【図３２】図３２は、実施の形態６に係るサーバの構成の一例を示すブロック図である。
【図３３】図３３は、実施の形態６に係る表示システムの表示方法の処理の流れを示すフローチャートである。
【図３４】図３４は、実施の形態６に係る表示方法の具体的な処理の流れを示すフローチャート図である。
【図３５】図３５は、その他の実施の形態に係る情報端末の表示部に表示されるアラート通知の一例を示す図である。
【図３６】図３６は、その他の実施の形態に係る情報端末の表示部に表示されるアラート通知の一例を示す図である。
【図３７】図３７は、その他の実施の形態に係る情報端末の表示部に表示されるアラート通知の一例を示す図である。
【図３８】図３８は、その他の実施の形態に係る情報端末の表示部に表示されるアラート通知の一例を示す図である。
【図３９】図３９は、その他の実施の形態に係る情報端末の表示部に表示されるアラート通知の一例を示す図である。
【図４０】図４０は、その他の実施の形態に係る情報端末の表示部に表示されるアラート通知の一例を示す図である。
【発明を実施するための形態】
【００１１】
上記目的を達成するために、本発明の一態様に係る表示方法は、情報端末を用いて、特定イベントのサービス申込を行う申込ステップと、複数のイベント情報を表示する表示ディスプレイの表示面に向けて情報端末をかざすことで前記情報端末が前記表示ディスプレイと可視光通信を行うことにより、前記複数のイベント情報を取得する取得ステップと、前記取得ステップで取得された前記複数のイベント情報に、前記サービス申込の内容に関連する情報である関連情報が含まれている場合に、前記関連情報を、前記情報端末の表示部に表示する表示ステップとを含む。
【００１２】
これにより、情報端末を用いるユーザが電子看板等の表示ディスプレイの表示面の所望の領域を選択しなくても、表示ディスプレイからユーザの所望する情報を、時間を要さずに取得して情報端末に表示させることができる。
【００１３】
また、例えば、前記申込ステップは、前記サービス申込の内容を示すサービス申込情報を、前記情報端末に保存する保存ステップを含み、前記表示ステップは、前記情報端末が、前記保存ステップで前記情報端末に保存された前記サービス申込情報と、前記取得ステップで取得された前記複数のイベント情報とを比較して、前記複数のイベント情報に前記サービス申込情報を示唆する情報が含まれている場合に、前記複数のイベント情報に、前記関連情報が含まれていると判断するステップを含むとしてもよい。
【００１４】
また、例えば、前記申込ステップは、前記サービス申込の内容を示すサービス申込情報を、サーバに保存する保存ステップを含み、前記表示ステップは、前記サーバが、前記保存ステップで前記サーバに保存された前記サービス申込情報と、前記取得ステップで取得された前記複数のイベント情報とを比較して、前記複数のイベント情報に前記サービス申込情報を示唆する情報が含まれている場合に、前記複数のイベント情報に、前記関連情報が含まれていると判断するステップを含むとしてもよい。
【００１５】
また、例えば、前記申込ステップは、前記サービス申込の内容を示すサービス申込情報を、サーバと異なる他のサーバに保存する第１の保存ステップと、前記他のサーバから、前記サーバに、前記第１の保存ステップで保存された前記サービス申込情報を送信し、前記サーバに前記サービス申込情報を保存する第２の保存ステップとを含み、前記表示ステップは、前記サーバが、前記第２の保存ステップで保存された前記サービス申込情報と前記取得ステップで取得された前記複数のイベント情報とを比較して、前記複数のイベント情報に前記サービス申込情報を示唆する情報が含まれる場合に、前記複数のイベント情報に、前記関連情報が含まれていると判断するステップを含むとしてもよい。
【００１６】
また、例えば、前記申込ステップは、前記サービス申込の内容を示すサービス申込情報を、サーバに保存する第１の保存ステップと、前記サーバから、前記情報端末に、前記第１の保存ステップで保存された前記サービス申込情報を送信し、前記情報端末に前記サービス申込情報を保存する第２の保存ステップとを含み、前記表示ステップは、前記情報端末が、前記第２の保存ステップで前記情報端末に保存された前記サービス申込情報と前記取得ステップで取得された前記複数のイベント情報とを比較して、前記複数のイベント情報に前記サービス申込情報を示唆する情報が含まれる場合に、前記複数のイベント情報に、前記関連情報が含まれていると判断するステップを含むとしてもよい。
【００１７】
また、例えば、前記取得ステップは、前記情報端末が前記表示ディスプレイと可視光通信を行うことにより、ＩＤ情報を取得し、取得した前記ＩＤ情報を、前記サーバに送信する送信ステップと、前記サーバが、前記送信ステップで送信された前記ＩＤ情報に紐付けられた情報として、前記複数のイベント情報を取得するステップとを含むとしてもよい。
【００１８】
また、例えば、前記サービス申込は、展示会のチケットの予約および購入、博覧会のチケットの予約および購入、展覧会のチケットの予約および購入、コンサートのチケットの予約および購入、競技大会の参加券または観戦チケットの予約および購入、講義の予約および購入、セミナーの参加予約、レストランの予約、車の予約および購入、乗車券の予約および購入、航空機の座席の予約および購入、並びに、船の乗船券の予約および購入のうち少なくとも一を含むとしてもよい。
【００１９】
また、例えば、さらに、前記関連情報に含まれる前記サービス申込の内容が変更された場合、前記情報端末に、変更された内容に関する情報をアラート通知させるアラートステップを含むとしてもよい。
【００２０】
また、例えば、前記表示ステップでは、前記関連情報のうち、前記サービス申込の内容を示す情報を強調して表示するとしてもよい。
【００２１】
また、例えば、前記表示ステップでは、前記関連情報を、表示ディスプレイの表示面で前記複数のイベント情報が表示される態様で、前記情報端末の表示部に表示し、前記態様は、前記表示面で表示される文字、背景色およびスタイル情報であるとしてもよい。
【００２２】
ここで、例えば、前記表示ステップでは、さらに、前記関連情報のうち、前記サービス申込の内容を示す情報以外の情報を、グレーアウトで前記情報端末の表示部に表示するとしてもよい。
【００２３】
また、例えば、前記表示ステップでは、前記関連情報に含まれる前記サービス申込の内容が変更された場合、前記関連情報のうち、変更された内容に関する情報を、変更されなかった内容に関する情報と比較して大きく表示するとしてもよい。
【００２４】
また、例えば、前記表示ステップでは、前記複数のイベント情報を前記情報端末の表示部に表示し、前記複数のイベント情報のうち、前記関連情報を強調して表示することで、前記関連情報を、前記情報端末の表示部に表示するとしてもよい。
【００２５】
また、上記目的を達成するために、本発明の一態様に係る表示方法は、情報端末を用いて、ユーザの属性情報を、サーバまたは情報端末に登録する登録ステップと、複数の商品情報を表示する表示ディスプレイの表示面に向けて前記情報端末をかざすことで前記情報端末が前記表示ディスプレイと可視光通信を行うことにより、前記複数の商品情報を取得する取得ステップと、前記取得ステップで取得された前記複数の商品情報のうちから、前記登録ステップで登録された前記ユーザの属性情報に適した特定の商品情報を抽出し、抽出した前記特定の商品情報を前記情報端末の表示部に表示する表示ステップとを含む。
【００２６】
ここで、例えば、前記属性情報には、ユーザの性別および年齢のうちの少なくとも一方が含まれ、前記商品情報には、商品の情報に加えて、前記商品に適した性別情報および年齢情報のうちの少なくとも一方が含まれ、前記表示ステップは、前記属性情報に含まれる前記ユーザの性別と前記商品情報に含まれる前記性別情報とを比較、または、前記属性情報に含まれる前記年齢と前記商品情報に含まれる前記年齢情報とを比較することにより、前記特定の商品情報を抽出するステップを含むとしてもよい。
【００２７】
また、例えば、前記属性情報には、前記ユーザの嗜好特性を含まれ、さらに、または前記登録ステップに代えて、前記ユーザの購買履歴に基づいて、前記嗜好特性を決定する決定ステップを有し、前記表示ステップでは、前記決定ステップで決定された嗜好特性を用いて、前記取得ステップで取得された前記複数の商品情報のうちから、前記ユーザの属性情報に適した特定の商品情報を抽出するとしてもよい。
【００２８】
また、例えば、前記商品情報には、商品の価格が含まれ、さらに、前記取得ステップで過去に取得された過去の複数の商品情報を記録する記録ステップと、前記表示ステップで抽出された前記特定の商品情報に含まれる価格が、前記過去の複数の商品情報に含まれ、前記特定の商品情報に対応する商品情報に含まれる価格よりも安い場合には、前記情報端末にアラートさせるアラートステップとを含むとしてもよい。
【００２９】
また、例えば、前記商品情報には、商品の在庫情報が含まれ、前記表示ステップでは、前記在庫情報により、抽出した前記特定の商品情報に示される商品の在庫が切れていることを確認した場合には、前記特定の商品情報の代わりに、インターネットから購入するためのウェブサイトを前記情報端末の表示部に表示するとしてもよい。
【００３０】
また、例えば、前記属性情報には、さらに、前記情報端末の表示部に表示すべき言語である表示言語を選択するための言語情報が含まれ、前記表示ステップでは、前記特定の商品情報を、前記言語情報に基づき選択された前記表示言語に翻訳して表示するとしてもよい。
【００３１】
また、例えば、前記表示ステップでは、さらに、前記関連情報を、前記情報端末の表示部に表示すべき言語である表示言語を選択するための言語情報に基づき選択された表示言語に翻訳して表示するとしてもよい。
【００３２】
なお、これらの全般的または具体的な態様は、システム、方法、集積回路、コンピュータプログラムまたはコンピュータで読み取り可能なＣＤ−ＲＯＭなどの記録媒体記録媒体で実現されてもよく、システム、方法、集積回路、コンピュータプログラムまたは記録媒体の任意な組み合わせで実現されてもよい。
【００３３】
以下、図面を参照しながら、本発明の一態様に係る情報管理方法および情報管理システムについて説明する。
【００３４】
なお、以下で説明する実施の形態は、いずれも本発明の一具体例を示すものである。以下の実施の形態で示される数値、形状、材料、構成要素、構成要素の配置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３５】
（実施の形態１）
１．システムの構成
以下、実施の形態１に係る表示システム１について図面を参照しながら説明する。
【００３６】
１．１  表示システム１の全体構成
図１は、実施の形態１に係る表示システムの全体構成の一例を示す図である。表示システム１は、情報端末１０、表示ディスプレイ２０、および、サーバ４０から構成され、情報端末１０とサーバ４０はネットワーク３０で接続されている。
【００３７】
ここで、情報端末１０は、例えば携帯電話、スマートフォン、タブレットといった携帯可能な機器である。なお、情報端末１０は、これらの例に限られず、表示ディスプレイ２０と可視光通信ができ、かつ、サーバ４０とネットワーク３０で接続することができれば、その種別は問わない。
【００３８】
１．２  表示システム１の使用場面
図２は、実施の形態１に係る表示システムの使用場面の一例を示す図である。
【００３９】
図２に示すように、ユーザは表示ディスプレイ２０と一定の距離（図で距離ｄ）離れた状態で情報端末１０を表示ディスプレイ２０の表示面に向けてかざすこと（かざし操作）で、情報端末１０が複数のイベント情報を表示する表示ディスプレイ２０と可視光通信を行うことにより、情報端末１０の表示部１０２に情報を表示させることができる。詳細は後述するが、本実施の形態では、情報端末１０は、複数のイベント情報を取得し、ユーザが申し込みを行ったイベント（特定イベント）のサービスに関連する情報（関連情報）を表示部１０２に表示する。
【００４０】
ここで、イベントとは、例えば展示会、博覧会、展覧会、コンサート、競技大会、講義、セミナーなどであり、レストランでの食事、車を借りたり購入したりすること、バスに乗ること、電車に乗ること、航空機に搭乗すること、船に乗ることなどである。また、イベントのサービス申込とは、例えば展示会や展覧会、コンサートのチケットの予約または購入であったり、講義やセミナーの参加者への申込であったり、レストランでの食事や車の購入や航空機の搭乗券の予約であったりする。
【００４１】
１．３  情報端末１０の構成
図３は、実施の形態１に係る情報端末の構成の一例を示すブロック図である。図４は、実施の形態１に係るサービス申込情報のデータ構造の一例を示す図である。
【００４２】
図３に示す情報端末１０は、入力部１０１、表示部１０２、表示制御部１０３、通信部１０４、ＩＤ受信部１０５、および、申込情報管理部１０６を備える。
【００４３】
入力部１０１は、情報端末１０を使用するユーザの操作を検出し、検出した操作により入力される情報等が入力される。検出されるユーザの操作には、ユーザ情報を入力する操作や、サービス申込を入力する操作、表示ディスプレイに向けて情報端末１０をかざす操作（以下、かざし操作と記載）などがある。ここで、ユーザ情報は、例えばユーザの氏名、住所、生年月日、性別および趣味などのユーザを特定可能な属性情報を含むユーザを特定可能なユーザの個人情報である。また、本実施の形態では、サービス申込の入力操作とは、特定イベントのサービス申込（複数のサービスうちの少なくとも一のサービスの申し込み）を行う操作を意味する。
【００４４】
表示部１０２は、サービス申込に関連する情報である関連情報を表示する。本実施の形態では、表示部１０２は、表示制御部１０３により取得された複数のイベント情報（送信イベント情報とも記載）に、特定イベントのサービス申込に関連する情報である関連情報が含まれている場合に、その関連情報のみを表示する。
【００４５】
ＩＤ受信部１０５は、情報端末１０が表示ディスプレイ２０と可視光通信を行うことにより、ＩＤ情報を取得する。より具体的には、ＩＤ受信部１０５は、入力部１０１が表示ディスプレイ２０の表示面に向けたかざし操作を検出すると、可視光通信により表示ディスプレイ２０よりＩＤ情報を受信する。
【００４６】
ここでＩＤ情報とは、表示ディスプレイ２０に表示されている複数のイベント情報を特定するための識別情報である。ＩＤ情報は、英数字からなるユニークなＩＤであってもよいし、地域内や建物内や部屋内でユニークなものであってもよい。また、ＩＤ情報は、表示ディスプレイ２０に表示されている複数のイベント情報を含んでいてもよい。
【００４７】
なお、このＩＤ情報は、表示ディスプレイ２０より一つ受信するとして以下説明を行うが、これに限らない。ＩＤ情報は、表示ディスプレイ２０の一定の領域毎から一つずつ受信するものであってもよい。
【００４８】
申込情報管理部１０６は、ユーザ情報とサービス申込情報とを紐づけて管理する。本実施の形態では、申込情報管理部１０６は、特定イベントのサービス申込（複数サービスのうちのユーザにより申し込まれた少なくとも一のサービス）の内容を示すサービス申込情報を保存し、それらユーザ情報とサービス申込情報とを紐づけて管理する。また、申込情報管理部１０６は、入力部１０１により入力されたユーザ情報を保存する。ここで、サービス申込情報は、例えば図４に示すようなデータ構造で管理される。すなわち、サービス申込情報は、例えば飛行機や新幹線の座席の予約内容であったり、参加券を購入した（参加の予約した）セミナーの内容であったりする。なお、サービス申込情報はこの例に限らず、例えば展示会や展覧会、コンサートのチケットの内容であったり、参加する講義の内容であったり、レストランに予約した時間とコースの内容、レンタカーの予約内容であってもよい。
【００４９】
表示制御部１０３は、サーバ４０から受信した送信イベント情報（表示ディスプレイ２０に表示されている複数のイベント情報）と、情報端末１０のユーザが申し込んだサービス申込の内容を示すサービス申込情報とを取得し、送信イベント情報に含まれる関連情報を表示部１０２に送信する。
【００５０】
より具体的には、表示制御部１０３は、複数のイベント情報を表示する表示ディスプレイ２０の表示面に向けて情報端末１０をかざすことで、情報端末１０が表示ディスプレイ２０と可視光通信を行うことによりＩＤ情報を取得し、取得したＩＤ情報を、サーバ４０に送信する。そして、表示制御部１０３は、サーバ４０から、上記ＩＤ情報に紐付けられた情報として送信イベント情報（表示ディスプレイ２０に表示されている複数のイベント情報）を取得する。表示制御部１０３は、取得した送信イベント情報に、サービス申込情報に関連する情報である関連情報が含まれている場合に、その関連情報を表示部１０２に送信して表示させる。
【００５１】
ここで、表示制御部１０３は、申込情報管理部１０６に保存されたサービス申込情報（ユーザが申し込んだサービスの内容を示す情報）と、取得した送信イベント情報（表示ディスプレイ２０に表示されている複数のイベント情報）とを比較して、送信イベント情報にサービス申込情報を示唆する情報が含まれている場合に、送信イベント情報に、関連情報が含まれていると判断する。
【００５２】
ここで、サービス申込情報を示唆する情報とは、サービス申込情報を示す語句であってもよく、サービス申込情報を示す語句のシソーラス（同義語や意味上の類似関係、包含関係を示す語句）であってもよい。このように、サービス申込情報を示唆する情報は、サービス申込情報に一致または関連する情報（語句）であってサービス申込情報を特定できる情報であればよい。
【００５３】
通信部１０４は、サーバ４０とネットワーク３０を介して通信する。具体的には、通信部１０４は、表示ディスプレイ２０より取得したＩＤ情報をサーバ４０に送信する。また、通信部１０４は、サーバ４０から、上記ＩＤ情報に紐付けられた送信イベント情報を受信して、表示制御部１０３に送信する。
【００５４】
以上のようにして、情報端末１０を用いるユーザは、電子看板等の表示ディスプレイ２０の表示面の所望の領域を選択しなくても、表示ディスプレイ２０からユーザの所望する情報を、時間を要さずに取得して情報端末１０に表示させることができる。より具体的には、情報端末１０は、表示ディスプレイ２０の表示面に向けてかざし操作されることで、複数のイベント情報を表示する表示ディスプレイ２０と可視光通信を行うことにより、複数のイベント情報を取得して、複数のイベント情報のうちからユーザが申し込んだサービスに関する関連情報を表示部１０２に表示することができる。
【００５５】
１．４  表示ディスプレイ２０の構成
図５は、実施の形態１に係る表示ディスプレイの構成の一例を示すブロック図である。
【００５６】
表示ディスプレイ２０は、複数のイベント情報を表示する表示ディスプレイの一例であり、ＩＤ送信部２０１、および、表示部２０２を備える。
【００５７】
ＩＤ送信部２０１は、可視光通信を行うことにより、表示ディスプレイ２０に表示されている複数のイベント情報を特定するための識別情報であるＩＤ情報を送信する。より具体的には、ＩＤ送信部２０１は、表示ディスプレイ２０の表示面を複数のイベント情報を表示するとともに、所定期間に減光（消灯）するなどして上記ＩＤ情報を継続的に発信する。
【００５８】
表示部２０２は、複数のイベント情報を表示するとともに、複数のイベント情報を表示する間の所定期間に、上記ＩＤ情報を示すパターンの減光（消灯）を行う。
【００５９】
以上のように、表示ディスプレイ２０は、複数のイベント情報を表示するとともに、複数のイベント情報を特定するための識別情報であるＩＤ情報を、可視光を用いて発信（可視光通信）する。
【００６０】
１．５  サーバ４０の構成
図６は、実施の形態１に係るサーバの構成の一例を示すブロック図である。
【００６１】
サーバ４０は、通信部４０１、送信イベント情報特定部４０２、および、イベント情報管理部４０３を備える。
【００６２】
通信部４０１は、情報端末１０とネットワーク３０を介して通信する。具体的には、通信部４０１は、情報端末１０より送信されたＩＤ情報を受信する。また、通信部４０１は、情報端末１０に、上記ＩＤ情報に紐付けられた送信イベント情報を送信する。
【００６３】
送信イベント情報特定部４０２は、情報端末１０より送信されたＩＤ情報（表示ディスプレイ２０が発信するＩＤ情報）に紐付けられた情報として、表示ディスプレイ２０に表示された複数のイベント情報を送信イベント情報として特定して取得する。送信イベント情報特定部４０２は、通信部４０１を介して、情報端末１０に送信イベント情報を送信する。
【００６４】
イベント情報管理部４０３は、ＩＤ情報と複数のイベント情報とを紐づけて管理する。本実施の形態では、表示ディスプレイ２０が発信するＩＤ情報と表示ディスプレイ２０に表示された複数のイベント情報とを紐付けて管理している。
【００６５】
以上のように、サーバ４０は、情報端末１０により送信されたＩＤ情報から、表示ディスプレイ２０に表示された複数のイベント情報を特定し、特定した複数のイベント情報を送信イベント情報として情報端末１０に送信する。
【００６６】
１．６  表示システム１の動作
次に、表示システム１の動作について説明する。
【００６７】
図７は、実施の形態１に係る表示システムの表示方法の処理の流れを示すフローチャートである。
【００６８】
まず、ユーザは、情報端末１０を用いて、申込ステップを行う（Ｓ１０）。より具体的には、ユーザは、情報端末１０を用いて、特定イベントのサービス申込（複数のサービスのうちの少なくとも一のサービスの申し込み）を行う。
【００６９】
本実施の形態では、Ｓ１０には、特定イベントのサービスのうちユーザが申し込んだサービス（サービス申込）の内容を示すサービス申込情報を、情報端末１０に保存する保存ステップが含まれる。
【００７０】
次に、情報端末１０は、取得ステップを行う（Ｓ１１）。より具体的には、複数のイベント情報を表示する表示ディスプレイ２０の表示面に向けてユーザが情報端末１０をかざすことで、情報端末１０が表示ディスプレイ２０と可視光通信を行うことにより、複数のイベント情報を取得する。
【００７１】
次に、情報端末１０は、表示ステップを行う（Ｓ１２）。より具体的には、Ｓ１１で取得された複数のイベント情報に、サービス申込情報に関連する情報である関連情報が含まれている場合に、その関連情報を、情報端末１０の表示部１０２に表示する。
【００７２】
本実施の形態では、Ｓ１２には、情報端末１０が、Ｓ１０に含まれる保存ステップで情報端末１０に保存されたサービス申込情報と、Ｓ１１で取得された複数のイベント情報とを比較して、複数のイベント情報にサービス申込情報を示唆する情報が含まれている場合に、複数のイベント情報に、関連情報が含まれていると判断するステップが含まれている。
【００７３】
次に、実施の形態１に係る表示システムのより具体的な処理の流れについて説明する。
【００７４】
図８は、実施の形態１に係る表示方法の具体的な処理の流れを示すフローチャート図である。
【００７５】
ここで、Ｓ１０の申込ステップは完了しているとする。そして、ユーザは、図２に示すように複数のイベント情報を表示する表示ディスプレイ２０を見て、ユーザが申し込んだサービスに関連する情報があるかどうかを確認するため、情報端末１０の可視光通信を行うためのアプリケーションを立ち上げて、情報端末１０を用いて表示ディスプレイ２０に向けてかざし操作を行うとする。なお、情報端末１０は、アプリケーションが立ち上げられた後は、表示ディスプレイ２０へのかざし操作を検出したか定期的に確認する。
【００７６】
すると、まず、情報端末１０は、表示ディスプレイ２０へのかざし操作を検出した場合（Ｓ１１１でＹ）、表示ディスプレイ２０から可視光通信によりＩＤ情報を受信したかを確認する（Ｓ１１２）。なお、Ｓ１１１において、情報端末１０は、表示ディスプレイ２０へのかざし操作を検出しない場合（Ｓ１１１でＮ）、Ｓ１１１に戻り、連続的または断続的（定期的）に表示ディスプレイ２０へのかざし操作を検出したかを確認する。
【００７７】
次に、情報端末１０は、表示ディスプレイ２０からＩＤ情報を受信した場合（Ｓ１１２でＹ）、表示ディスプレイ２０から受信したＩＤ情報をサーバ４０に送信する（Ｓ１１３）。なお、Ｓ１１４において、情報端末１０は、表示ディスプレイ２０からＩＤ情報を受信しない場合（Ｓ１１４でＮ）、Ｓ１１４に戻り、ＩＤ情報を受信するまで繰り返し確認するとしてもよい。
【００７８】
次に、サーバ４０は、ＩＤ情報を受信したか否かを確認しており（Ｓ１１４）、ＩＤ情報を受信した場合（Ｓ１１４でＹ）、受信したＩＤ情報に紐付けられた複数のイベント情報（送信イベント情報）があるか否かを確認する（Ｓ１１５）。なお、サーバ４０は、ＩＤ情報を受信していない場合（Ｓ１１４でＮ）、Ｓ１１４に戻り、連続的または断続的（定期的）に、ＩＤ情報を受信したか否かを確認する。
【００７９】
次に、サーバ４０は、受信したＩＤ情報に紐付けられた複数のイベント情報（送信イベント情報）がある場合（Ｓ１１５でＹ）、受信したＩＤ情報に紐づけられた複数のイベント情報を取得し、送信イベント情報として情報端末１０に送信する（Ｓ１１６）。なお、サーバ４０は、受信したＩＤ情報に紐付けられた複数のイベント情報（送信イベント情報）がない場合（Ｓ１１５でＮ）、Ｓ１１５に戻り、ＩＤ情報に紐付けられた複数のイベント情報を特定できるまで確認するとしてもよい。また、ＩＤ情報に紐付けられた複数のイベント情報を、ネットワーク３０を介して別のサーバに問い合わせて取得するとしてもよい。
【００８０】
次に、情報端末１０は、サーバ４０から送信イベント情報を受信した場合（Ｓ１１７でＹ）、ユーザのサービス申込情報があるか否かを確認する（Ｓ１２１）。なお、Ｓ１１７において、情報端末１０は、サーバ４０から送信イベント情報を受信しない場合（Ｓ１１７でＮ）、Ｓ１１７に戻り、送信イベント情報を受信するまで繰り返し確認するとしてもよい。
【００８１】
このように、Ｓ１０の取得ステップは、具体的には、Ｓ１１１〜Ｓ１１７の処理を行うことで実行される。
【００８２】
次に、情報端末１０は、ユーザのサービス申込情報がある場合（Ｓ１２１でＹ）、申込サービス情報を取得し（Ｓ１２２）、サーバ４０から受信した送信イベント情報にサービス申込情報の関連情報が含まれるか否かを確認する（Ｓ１２３）。
【００８３】
次に、情報端末１０は、サーバ４０から受信した送信イベント情報にサービス申込情報の関連情報が含まれる場合（Ｓ１２３でＹ）、関連情報を表示部１０２に表示する（Ｓ１２４）。
【００８４】
なお、Ｓ１２１において、情報端末１０に、ユーザのサービス申込情報がない場合（Ｓ１２１でＮ）、およびＳ１２３において、サーバ４０から受信した送信イベント情報にサービス申込情報の関連情報が含まれない場合（Ｓ１２３でＮ）には、情報端末１０は、サーバ４０から受信した送信イベント情報を表示部１０２にそのまま表示する（Ｓ１２５）。
【００８５】
１．７  効果
以上、実施の形態１によれば、サービス申込情報を情報端末１０で管理し、関連情報を特定する。ユーザは、情報端末１０を、表示ディスプレイ２０の表示面に向けてかざし操作することで、複数のイベント情報のうちユーザが申し込んだサービスの内容（サービス申込情報）に関連する情報（関連情報）を、情報端末１０の表示部１０２に表示させることができる。
【００８６】
それにより、情報端末１０を用いるユーザは、電子看板等の表示ディスプレイ２０の表示面の所望の領域を選択しなくても、表示ディスプレイ２０からユーザの所望する情報を、時間を要さずに取得して情報端末１０に表示させることができる。
【００８７】
ここで、表示部１０２に表示させる関連情報について例を挙げて説明する。
【００８８】
図９〜図１２は、実施の形態１に係る情報端末の表示部に表示される関連情報の一例を示す図である。
【００８９】
例えば図９に示すように、ユーザは、複数のイベント情報として飛行機の搭乗ゲートや離陸予定時刻を表示する表示ディスプレイ２０を見て、ユーザが予約した飛行機の座席（サービス申込情報）に関連する情報があるかどうかを確認することができる。すなわち、ユーザは、情報端末１０を用いて飛行機の搭乗ゲートや離陸予定時刻を表示する表示ディスプレイ２０に向けてかざし操作を行うことで、表示ディスプレイ２０にユーザが搭乗する飛行機が表示されている場合には、情報端末１０の表示部１０２には、搭乗時刻や搭乗ゲート等の情報を関連情報として表示される。
【００９０】
また、例えば図１０に示すように、ユーザは、複数のイベント情報として本日の催事の案内を表示する表示ディスプレイ２０を見て、ユーザが申し込んだ研修会（サービス申込情報）に関連する情報があるかどうかを確認することができる。すなわち、ユーザは、情報端末１０を用いて本日の催事の案内を表示する表示ディスプレイ２０に向けてかざし操作を行うことで、表示ディスプレイ２０にユーザが申し込んだ研修会の案内が表示されている場合には、情報端末１０の表示部１０２には、研修会の会議室の番号等の情報を関連情報として表示される。
【００９１】
なお、表示部１０２に関連情報を表示する態様は問わないが、表示ディスプレイ２０の表示面で表示されている態様で、表示部１０２に表示するとしてもよい。具体的には、関連情報を、表示ディスプレイ２０の表示面で複数のイベント情報が表示される態様で、情報端末１０の表示部１０２に表示し、その態様は、表示面で表示される文字、背景色およびスタイル情報であってもよい。ここで、関連情報のうち、サービス申込（ユーザが申し込んだサービス）の内容を示す情報以外の情報を、グレーアウトで情報端末１０の表示部１０２に表示するとしてもよい。これにより、サービス申込の内容を強調して表示することができるので、ユーザはサービス申込の内容を示す情報をより認識しやすくなる。
【００９２】
また、例えば図１１に示すように、ユーザは、複数のイベント情報として新幹線の出発時刻と出発するホーム等を表示する表示ディスプレイ２０を見て、ユーザが予約した新幹線の座席（サービス申込情報）に関連する情報があるかどうかを確認することができる。すなわち、ユーザは、情報端末１０を用いて新幹線の出発時刻と出発するホーム等を表示する表示ディスプレイ２０に向けてかざし操作を行うことで、表示ディスプレイ２０にユーザが予約した新幹線の出発時刻等が表示されている場合には、情報端末１０の表示部１０２には、新幹線の出発時刻、ホーム、行き先等の番号等の情報を関連情報として表示される。
【００９３】
なお、表示部１０２に関連情報を表示する態様は問わないが、関連情報のうち重要な出発時刻とホームとを強調して表示するとしてもよい。換言すると、関連情報のうち、ユーザが申し込んだ少なくとも一のサービスの内容を示す情報を強調して表示するとしてもよい。ここで、関連情報に含まれるサービス申込の内容（ユーザが申し込んだ少なくとも一のサービスの内容）が変更された場合、関連情報のうち、変更された内容に関する情報を、変更されなかった内容に関する情報と比較して大きく表示するとしてもよい。これにより、関連情報のうち、変更された内容に関する情報を強調して表示することができるので、ユーザは変更された内容に関する情報をより認識しやすくなる。
【００９４】
また、複数のイベント情報を情報端末１０の表示部１０２に表示し、複数のイベント情報のうち、関連情報を強調して表示することで、関連情報を、情報端末の表示部１０２に表示するとしてもよい。例えば図１２に示すように、ユーザは、複数のイベント情報として飲食店などの複数の店の情報を表示する表示ディスプレイ２０を見て、ユーザが予約したお店（サービス申込情報）に関連する情報があるかどうかを確認することができる。すなわち、ユーザは、情報端末１０を用いて飲食店などの複数の店の情報を表示する表示ディスプレイ２０に向けてかざし操作を行うことで、表示ディスプレイ２０にユーザが予約したお店が表示されている場合には、情報端末１０の表示部１０２には、お店の場所（テナント階等）等の情報を関連情報として表示される。
【００９５】
それにより、ユーザは、情報端末１０を表示ディスプレイ２０の表示面に向けてかざすだけで、情報端末１０にその表示ディスプレイ２０と可視光通信を行わせることにより、情報端末１０の表示部１０２にユーザが申し込んだサービスの内容に関連する情報のみを表示させることができる。つまり、ユーザの所望する情報を、時間を要さずに取得して表示することができる。
【００９６】
（実施の形態２） 
実施の形態１では、情報端末１０が申込情報管理部１０６を備え、ユーザ情報とサービス申込情報とを紐づけて管理する場合について説明したが、それに限られない。実施の形態２では、サーバが申込情報管理部を備え、ユーザ情報とサービス申込情報とを紐づけて管理する場合について図１３Ａ〜図１４を用いて説明する。
【００９７】
以下、実施の形態１と異なるところを中心に説明する。
【００９８】
２．１  情報端末１０Ａの構成
図１３Ａは、実施の形態２に係る情報端末の構成の一例を示すブロック図である。なお、図３と同様の要素には同一の符号を付しており、詳細な説明は省略する。
【００９９】
図１３Ａに示す情報端末１０Ａは、実施の形態１に係る情報端末１０に対して、申込情報管理部１０６の構成がなく、表示制御部１０３Ａと通信部１０４Ａの機能が異なる。
【０１００】
表示制御部１０３Ａは、サーバ４０Ａから受信した関連情報を取得し、取得した関連情報を表示部１０２に送信する。
【０１０１】
なお、表示制御部１０３Ａは、実施の形態１と同様に、表示ディスプレイ２０に表示されている複数のイベント情報を受信するとしてもよい。
【０１０２】
通信部１０４Ａは、サーバ４０とネットワーク３０を介して通信する。具体的には、通信部１０４Ａは、表示ディスプレイ２０より取得したＩＤ情報と、入力部１０１で入力されたユーザ情報とをサーバ４０Ａに送信する。通信部１０４Ａは、サーバ４０により、サービス申込情報に関連する情報である関連情報を受信して、表示制御部１０３Ａに送信する。
【０１０３】
以上のように、情報端末１０Ａを用いるユーザは、電子看板等の表示ディスプレイ２０の表示面の所望の領域を選択しなくても、表示ディスプレイ２０からユーザの所望する情報を、時間を要さずに取得して情報端末１０Ａに表示させることができる。換言すると、情報端末１０は、表示ディスプレイ２０の表示面に向けてかざし操作されることで、複数のイベント情報を表示する表示ディスプレイ２０と可視光通信を行うことにより、複数のイベント情報のうちからユーザが申し込んだサービスに関する関連情報を取得して、表示部１０２に表示することができる。
【０１０４】
２．２  サーバ４０Ａの構成
図１３Ｂは、実施の形態２に係るサーバの構成の一例を示すブロック図である。なお、図６と同様の要素には同一の符号を付しており、詳細な説明は省略する。
【０１０５】
図１３Ｂに示すサーバ４０Ａは、実施の形態１に係るサーバ４０に対して、申込情報管理部４０４と関連情報特定部４０５との構成が異なり、通信部４０１Ａの機能が異なる。
【０１０６】
申込情報管理部４０４は、ユーザ情報とサービス申込情報とを紐づけて管理する。本実施の形態では、申込情報管理部４０４は、情報端末１０Ａで入力されたユーザのユーザ情報とユーザにより申し込まれたサービス申込の内容を示すサービス申込情報とを保存し、それらユーザ情報とサービス申込情報とを紐付けて管理する。
【０１０７】
関連情報特定部４０５は、申込情報管理部４０４に保存（管理）されている情報端末１０Ａより送信されたユーザのサービス申込情報を取得する。関連情報特定部４０５は、情報端末１０Ａより送信されたＩＤ情報（表示ディスプレイ２０が発信するＩＤ情報）に紐付けられた情報として、表示ディスプレイ２０に表示された複数のイベント情報を特定する。関連情報特定部４０５は、特定した複数のイベント情報にサービス申込に関連する情報である関連情報が含まれている場合にその関連情報を特定し、通信部４０１Ａを介して、情報端末１０Ａに送信する。
【０１０８】
ここで、関連情報特定部４０５は、申込情報管理部４０４に保存されているサービス申込情報と、特定した複数のイベント情報とを比較して、複数のイベント情報にサービス申込情報を示唆する情報が含まれている場合に、複数のイベント情報に、関連情報が含まれていると判断し、関連情報を特定する。
【０１０９】
このようにして、関連情報特定部４０５は、取得したＩＤ情報とサービス申込情報とに基づいて関連情報を特定する。
【０１１０】
通信部４０１Ａは、情報端末１０Ａとネットワーク３０を介して通信する。具体的には、通信部４０１Ａは、情報端末１０Ａより送信されたＩＤ情報とサービス申込情報を受信する。また、通信部４０１は、上記のように関連情報特定部４０５によりＩＤ情報とサービス申込情報とに基づいて特定された関連情報を情報端末１０Ａに送信する。
【０１１１】
以上のように、サーバ４０Ａは、情報端末１０Ａにより送信されたＩＤ情報と申込情報管理部４０４で管理しているサービス申込情報とに基づいて、関連情報を特定し、特定した関連情報を情報端末１０Ａに送信する。
【０１１２】
２．３  表示システムの動作
次に、本実施の形態における表示システムの動作について説明する。
【０１１３】
図１４は、実施の形態２に係る表示システムの表示方法の処理の流れを示すフローチャートである。
【０１１４】
まず、ユーザは、例えば情報端末１０Ａを用いて、申込ステップを行う（Ｓ２０）。より具体的には、ユーザは、情報端末１０Ａを用いて、特定イベントのサービス申込（複数のサービスのうちの少なくとも一のサービスの申し込み）を行う。
【０１１５】
本実施の形態では、Ｓ２０には、特定イベントのサービスのうちユーザが申し込んだサービスの内容を示すサービス申込情報を、サーバ４０Ａに保存する保存ステップが含まれる。
【０１１６】
次に、情報端末１０Ａとサーバ４０Ａとは、取得ステップを行う（Ｓ２１）。より具体的には、複数のイベント情報を表示する表示ディスプレイ２０の表示面に向けてユーザが情報端末１０Ａをかざすことで、情報端末１０Ａが表示ディスプレイ２０と可視光通信を行う。そして、サーバ４０Ａが、複数のイベント情報と関連情報とを特定し、情報端末１０Ａに送信することで、情報端末１０Ａは、関連情報を取得する。
【０１１７】
次に、情報端末１０Ａは、表示ステップを行う（Ｓ２２）。より具体的には、Ｓ２１で取得された関連情報を、情報端末１０Ａの表示部１０２に表示する。
【０１１８】
本実施の形態では、Ｓ２１には、サーバ４０が、Ｓ２１に含まれる保存ステップでサーバ４０Ａに保存されたサービス申込情報と、Ｓ２１で取得された複数のイベント情報とを比較して、複数のイベント情報にサービス申込情報を示唆する情報が含まれている場合に、複数のイベント情報に、関連情報が含まれていると判断するステップが含まれている。
【０１１９】
次に、実施の形態２に係る表示システムのより具体的な処理の流れについて説明する。
【０１２０】
図１５は、実施の形態２に係る表示方法の具体的な処理の流れを示すフローチャート図である。なお、図８と同様の要素には同一の符号を付しており、詳細な説明は省略する。
【０１２１】
ここで、Ｓ２０の申込ステップは完了しているとする。また、ユーザは、図７で説明したのと同様に、図２に示すように表示ディスプレイ２０を見て、ユーザが申し込んだサービスに関連する情報があるかどうかを確認するため、情報端末１０Ａを用いて表示ディスプレイ２０に向けてかざし操作を行うとする。
【０１２２】
Ｓ１１４において、サーバ４０ＡがＩＤ情報を受信した場合（Ｓ１１４でＹ）、サーバ４０は、ユーザ情報があるかを確認する（Ｓ２１１）。
【０１２３】
次に、サーバ４０Ａにユーザ情報がない場合（Ｓ２１１でＹ）、情報端末１０Ａにユーザ情報を送信してもらう（Ｓ２１２）。
【０１２４】
次に、サーバ４０Ａがユーザ情報を受信したかどうか確認し（Ｓ２１３）、ユーザ情報を受信したことを確認した場合（Ｓ２１３でＹ）、Ｓ１１５に進む。Ｓ１１５では、上述したように、サーバ４０Ａは、情報端末１０Ａから受信したＩＤ情報に紐づいた複数のイベント情報があるかどうかを確認する。
【０１２５】
次に、サーバ４０ＡにＩＤ情報に紐づいた複数のイベント情報がある場合（Ｓ１１５でＹ）、サーバ４０Ａは、ＩＤ情報に紐づいた複数のイベント情報を取得し（Ｓ２１４）、ユーザのサービス申込情報があるかどうかを確認する（Ｓ２１７）。
【０１２６】
次に、サーバ４０Ａにユーザのサービス申込情報があることを確認した場合（Ｓ２１７でＹ）、サーバ４０Ａは、複数のイベント情報にサービス申込情報の関連情報が含まれているかを判断する（Ｓ２１９）。
【０１２７】
次に、サーバ４０Ａに複数のイベント情報に関連情報が含まれていると判断した場合（Ｓ２１９でＹ）、サーバ４０Ａは、その関連情報を特定し、情報端末１０Ａに送信する（Ｓ２２１）。
【０１２８】
次に、情報端末１０Ａは、サーバ４０から関連情報を受信した場合（Ｓ２２２でＹ）、受信した関連情報を表示部１０２に表示する（Ｓ２２３）。
【０１２９】
なお、Ｓ２１１において、サーバ４０Ａにユーザ情報がある場合、Ｓ２１５に進む。Ｓ２１５では、Ｓ１１５同様に、サーバ４０Ａは、情報端末１０Ａから受信したＩＤに紐づいた複数のイベント情報があるかどうかを確認する。次いで、サーバ４０ＡにＩＤ情報に紐づいた複数のイベント情報がある場合（Ｓ２１５でＹ）、サーバ４０Ａは、ＩＤ情報に紐づいた複数のイベント情報を取得し（Ｓ２１６）、取得した複数のイベント情報を、関連情報として情報端末１０Ａに送信する（Ｓ２２４）。そして、Ｓ２２２の処理へと進む。
【０１３０】
２．４  効果
以上、実施の形態２によれば、サービス申込情報をサーバ４０Ａで管理し、サーバ４０Ａで関連情報を特定する。ユーザは、情報端末１０Ａを、表示ディスプレイ２０の表示面に向けてかざし操作することで、複数のイベント情報のうちユーザが申し込んだサービスの内容（サービス申込情報）に関連する情報を、情報端末１０Ａの表示部１０２に表示させることができる。
【０１３１】
それにより、情報端末１０Ａを用いるユーザは、電子看板等の表示ディスプレイ２０の表示面の所望の領域を選択しなくても、表示ディスプレイ２０からユーザの所望する情報を、時間を要さずに取得して情報端末１０Ａに表示させることができる。
【０１３２】
（実施の形態３）
実施の形態２では、一台のサーバ４０Ａが申込情報管理部４０４を備え、ユーザ情報とサービス申込情報とを紐づけて管理する場合について説明したが、それに限られない。実施の形態３では、２台のサーバが申込情報管理部を備え、２台のうち一台のサーバ（第１のサーバ４０Ｂ）がユーザの申し込んだサービスの関連情報を特定し、もう一台のサーバ（第２のサーバ４１）がユーザ情報とサービス申込情報とを紐づけて管理する場合について説明する。
【０１３３】
以下、実施の形態２と異なるところを中心に説明する。
【０１３４】
３．１  情報端末１０Ｂの構成
図１６は、実施の形態３に係る表示システム１Ｂの構成の一例を示すブロック図である。なお、図５、図１３Ａおよび図１３Ｂと同様の要素には同一の符号を付しており、詳細な説明は省略する。
【０１３５】
図１６に示す情報端末１０Ｂは、実施の形態２に係る情報端末１０Ａに対して、通信部１０４Ｂの機能が一部異なる。
【０１３６】
通信部１０４Ｂは、第１のサーバ４０Ｂおよび第２のサーバ４１とネットワーク３０を介して通信する。具体的には、通信部１０４Ｂは、表示ディスプレイ２０より取得したＩＤ情報を第１のサーバ４０Ｂに送信し、入力部１０１で入力されたユーザ情報を第２のサーバ４１に送信する。また、通信部１０４Ｂは、特定イベントのサービス申込（複数のサービスのうちの少なくとも一のサービスの申し込み）第２のサーバ４１に送信する。通信部１０４Ｂは、第１のサーバ４０Ｂにより、サービス申込の内容（サービス申込情報）に関連する情報である関連情報を受信して、表示制御部１０３Ａに送信する。
【０１３７】
３．２  第１のサーバ４０Ｂの構成
図１６に示す第１のサーバ４０Ｂは、実施の形態２に係るサーバ４０Ａに相当し、サーバ４０Ａに対して、通信部４０１Ｂと申込情報管理部４０４Ｂと関連情報特定部４０５Ｂとの一部機能が異なる。
【０１３８】
申込情報管理部４０４Ｂは、第２のサーバ４１から取得したユーザ情報とサービス申込情報とを紐づけて管理する。より具体的には、第１のサーバ４０Ｂは、第２のサーバ４１から送信された、第２のサーバ４１の申込情報管理部４１４に保存されているサービス申込情報とユーザ情報とを受信し、申込情報管理部４０４Ｂにサービス申込情報を保存する。
【０１３９】
関連情報特定部４０５Ｂは、情報端末１０Ａより送信されたＩＤ情報（表示ディスプレイ２０が発信するＩＤ情報）に紐付けられた情報として、表示ディスプレイ２０に表示された複数のイベント情報を特定する。関連情報特定部４０５Ｂは、申込情報管理部４０４Ｂに保存されたサービス申込情報に基づいて、特定した複数のイベント情報にサービス申込情報に関連する情報である関連情報が含まれている場合にはその関連情報を特定し、通信部４０１Ｂを介して、情報端末１０Ｂに送信する。
【０１４０】
ここで、関連情報特定部４０５は、申込情報管理部４０４に保存されているサービス申込情報と、特定した複数のイベント情報とを比較して、複数のイベント情報にサービス申込情報を示唆する情報が含まれている場合に、複数のイベント情報に、関連情報が含まれていると判断し、関連情報を特定する。
【０１４１】
このようにして、関連情報特定部４０５は、取得したＩＤ情報と、第２のサーバ４１から取得したサービス申込情報とに基づいて関連情報を特定する。
【０１４２】
通信部４０１Ｂは、情報端末１０Ｂと第２のサーバ４１と、ネットワーク３０を介して通信する。具体的には、通信部４０１Ｂは、情報端末１０Ｂより送信されたＩＤ情報を受信し、第２のサーバ４１により送信されたユーザ情報とサービス申込情報とを受信する。また、通信部４０１Ｂは、上記のように関連情報特定部４０５ＢでＩＤ情報とサービス申込情報とに基づいて特定された関連情報を情報端末１０Ｂに送信する。
【０１４３】
３．３  第２のサーバ４１の構成
図１６に示す第２のサーバ４１は、通信部４１１と申込情報管理部４１４とを備える。
【０１４４】
申込情報管理部４１４は、ユーザ情報とサービス申込情報とを紐づけて管理する。より具体的には、申込情報管理部４１４は、情報端末１０Ｂより送信されたユーザ情報を保存し、情報端末１０Ｂ等でユーザにより申し込まれたサービス申込の内容を示すサービス申込情報を保存して、ユーザ情報とサービス申込情報とを紐づけて管理する。また、申込情報管理部４１４は、第１のサーバ４０Ｂに、申込情報管理部４１４に保存されているサービス申込情報とユーザ情報を送信する。これにより、第１のサーバ４０Ｂは、申込情報管理部４０４Ｂにサービス申込情報とユーザ情報とを保存し、サービス申込情報とユーザ情報とを紐付けて管理する。
【０１４５】
通信部４１１は、情報端末１０Ｂと第１のサーバ４０Ｂと、ネットワーク３０を介して通信する。具体的には、通信部４１１は、情報端末１０Ｂより送信されたユーザ情報を少なくとも受信し、申込情報管理部４１４で管理されている紐付けられたユーザ情報とサービス申込情報とを第１のサーバ４０Ｂに送信する。また、通信部４１１は、情報端末１０Ｂより送信されたサービス申込情報を受信する。
【０１４６】
３．４  表示システムの動作
次に、本実施の形態における表示システム１Ｂの動作について説明する。
【０１４７】
図１７は、実施の形態３に係る表示システムの表示方法の処理の流れを示すフローチャートである。
【０１４８】
まず、ユーザは、例えば情報端末１０Ｂを用いて、申込ステップを行う（Ｓ３０）。より具体的には、ユーザは、例えば情報端末１０Ｂを用いて、特定イベントのサービス申込（複数のサービスのうちの少なくとも一のサービスの申し込み）を行う。
【０１４９】
本実施の形態では、Ｓ３０には、特定イベントのサービスのうちユーザが申し込んだ少なくとも一のサービス（サービス申込）の内容を示すサービス申込情報を、第２のサーバ４１に保存する保存ステップが含まれる。
【０１５０】
次に、情報端末１０Ｂ、第１のサーバ４０Ｂと第２のサーバ４１とは、取得ステップを行う（Ｓ２１）。より具体的には、複数のイベント情報を表示する表示ディスプレイ２０の表示面に向けてユーザが情報端末１０Ｂをかざすことで、情報端末１０Ｂが表示ディスプレイ２０と可視光通信を行う。そして、第１のサーバ４０Ｂが、情報端末１０Ｂから送信されたＩＤ情報と第２のサーバ４１から送信されたサービス申込情報とに基づいて、関連情報とを特定し、情報端末１０Ｂに送信することで、情報端末１０Ｂは、関連情報を取得する。
【０１５１】
次に、情報端末１０Ｂは、表示ステップを行う（Ｓ３２）。より具体的には、Ｓ３１で取得された関連情報を、情報端末１０Ｂの表示部１０２に表示する。
【０１５２】
本実施の形態では、Ｓ３１には、第１のサーバ４０Ｂが、Ｓ３１に含まれる保存ステップで第２のサーバ４１に保存されたサービス申込情報と、Ｓ３１で取得された複数のイベント情報とを比較して、複数のイベント情報にサービス申込情報を示唆する情報が含まれている場合に、複数のイベント情報に、関連情報が含まれていると判断するステップが含まれている。
【０１５３】
次に、実施の形態３に係る表示システムのより具体的な処理の流れについて説明する。
【０１５４】
図１８は、実施の形態３に係る表示方法の具体的な処理の流れを示すフローチャート図である。なお、図１５と同様の要素には同一の符号を付しており、詳細な説明は省略する。
【０１５５】
ここで、Ｓ３０の申込ステップは完了しているとする。また、ユーザは、図２に示すように表示ディスプレイ２０を見て、ユーザが申し込んだサービスに関連する情報があるかどうかを確認するため、情報端末１０Ｂを用いて表示ディスプレイ２０に向けてかざし操作を行うとする。
【０１５６】
Ｓ３１１およびＳ３１２は、図１５に示したＳ１１３およびＳ１１４と、サーバ４０Ａを第１のサーバ４０Ｂとすれば同様の処理のため説明を省略する。Ｓ３１４およびＳ３１５は、図１５に示したＳ１１１およびＳ２１３と、サーバ４０Ａを第２のサーバ４１とすれば同様の処理のため説明を省略する。Ｓ３１６およびＳ３１７は、図１５に示したＳ１１５およびＳ２１４と、サーバ４０Ａを第１のサーバ４０Ｂとすれば同様の処理のため説明を省略する。同様に、Ｓ３１８は、図１５に示したＳ２１７と、サーバ４０Ａを第２のサーバ４１とすれば同様の処理のため説明を省略する。
【０１５７】
Ｓ３１８において、第２のサーバ４１にユーザのサービス申込情報があることを確認した場合（Ｓ３１８でＹ）、第２のサーバ４１は、そのサービス申込情報を第１のサーバ４０Ｂに送信する（Ｓ３１９）。
【０１５８】
次に、第１のサーバ４０Ｂは、第２のサーバ４１からサービス申込情報を受信した場合（Ｓ３２０でＹ）、サーバ４０Ａは、複数のイベント情報にサービス申込情報の関連情報が含まれているかを判断する（Ｓ３２１）。
【０１５９】
なお、以降の処理すなわちＳ３２２〜Ｓ３２７は、図１５に示したＳ２２１〜Ｓ２２３、Ｓ２１５、Ｓ２１６およびＳ２２０と、サーバ４０Ａを第１のサーバ４０Ｂとすれば同様の処理のため説明を省略する。
【０１６０】
３．５  効果
以上、実施の形態３によれば、サービス申込情報を第２のサーバ４１で管理する。第２のサーバ４１は、そのサービス申込情報を第１のサーバ４０Ｂに送信し、第１のサーバ４０Ｂで関連情報を特定する。ユーザは、情報端末１０Ｂを、表示ディスプレイ２０の表示面に向けてかざし操作することで、複数のイベント情報のうちユーザが申し込んだサービスの関連情報を、情報端末１０Ｂの表示部１０２に表示させることができる。
【０１６１】
それにより、情報端末１０Ｂを用いるユーザは、電子看板等の表示ディスプレイ２０の表示面の所望の領域を選択しなくても、表示ディスプレイ２０からユーザの所望する情報を、時間を要さずに取得して情報端末１０Ｂに表示させることができる。
【０１６２】
（実施の形態４）
実施の形態３では、２台のサーバのうちの一台のサーバで（第１のサーバ）でユーザの申し込んだサービスの関連情報を特定する場合について説明したが、それに限らない。実施の形態１同様に、情報端末でユーザの申し込んだサービスの関連情報を特定してもよい。以下、この場合について実施の形態３と異なるところを中心に説明する。
【０１６３】
４．１  情報端末１０Ｃの構成
図１９は、実施の形態４に係る情報端末の構成の一例を示すブロック図である。なお、図３および図１３Ａと同様の要素には同一の符号を付しており、詳細な説明は省略する。
【０１６４】
図１９に示す情報端末１０Ｃは、実施の形態３に係る情報端末１０Ｂに対して、申込情報管理部１０６Ｃが追加され、表示制御部１０３Ｃと通信部１０４Ｃの機能が一部異なる。
【０１６５】
通信部１０４Ｃは、第１のサーバ４０Ｃおよび第２のサーバ４１とネットワーク３０を介して通信する。具体的には、通信部１０４Ｃは、表示ディスプレイ２０より取得したＩＤ情報を第１のサーバ４０Ｃに送信し、入力部１０１で入力されたユーザ情報を第２のサーバ４１に送信する。また、通信部１０４Ｃは、特定イベントのサービス申込（特定イベントの複数のサービスのうちの少なくとも一のサービスの申し込み）を第２のサーバ４１に送信する。
【０１６６】
通信部１０４Ｃは、第１のサーバ４０Ｃにより、ＩＤ情報に紐付けられた送信イベント情報を受信して、表示制御部１０３Ｃに送信する。
【０１６７】
表示制御部１０３Ｃは、第１のサーバ４０Ｃから受信した送信イベント情報（表示ディスプレイ２０に表示されている複数のイベント情報）に、ユーザにより申し込まれたサービスの関連情報が含まれている場合に、その関連情報を表示部１０２に送信して表示させる。
【０１６８】
ここで、表示制御部１０３は、申込情報管理部１０６Ｃに保存されたサービス申込情報と、取得した送信イベント情報とを比較して、送信イベント情報にサービス申込情報を示唆する情報が含まれている場合に、送信イベント情報に、関連情報が含まれていると判断する。
【０１６９】
申込情報管理部１０６Ｃは、ユーザ情報とサービス申込情報とを紐づけて管理する。本実施の形態では、申込情報管理部１０６Ｃは、第２のサーバ４１から受信したユーザ情報とサービス申込情報とを保存し、紐づけて管理する。
【０１７０】
４．２  第１のサーバ４０Ｃと第２のサーバ４１の構成
図２０は、実施の形態４に係る第１のサーバの構成の一例を示すブロック図である。なお、図６および図１６と同様の要素には同一の符号を付しており、詳細な説明は省略する。
【０１７１】
図２０に示す第１のサーバ４０Ｃは、実施の形態３における第１のサーバ４０Ｂと比較して、申込情報管理部が削除されている点で構成が異なる。そのため、第１のサーバ４０Ｃは、実施の形態１に係るサーバ４０に相当するものになっており、すなわち、第１のサーバ４０Ｃは、通信部４０１、送信イベント情報特定部４０２、および、イベント情報管理部４０３を備える。
【０１７２】
また、第２のサーバ４１は、実施の形態３と同じであるため、説明は省略する。
【０１７３】
４．３  表示システムの動作
次に、本実施の形態における表示システムの動作について説明する。
【０１７４】
図２１は、実施の形態４に係る表示システムの表示方法の処理の流れを示すフローチャートである。なお、図１７と同様の要素には同一の符号を付しており、詳細な説明は省略する。
【０１７５】
まず、ユーザは、例えば情報端末１０Ｃを用いて、申込ステップを行う（Ｓ３０）。
【０１７６】
次に、情報端末１０Ｃ、第１のサーバ４０Ｃと第２のサーバ４１とは、取得ステップを行う（Ｓ４１）。より具体的には、複数のイベント情報を表示する表示ディスプレイ２０の表示面に向けてユーザが情報端末１０Ｃをかざすことで、情報端末１０Ｃが表示ディスプレイ２０と可視光通信を行う。そして、第１のサーバ４０Ｃが、情報端末１０Ｃから送信されたＩＤ情報に基づいて、送信イベント情報を特定し、情報端末１０Ｃに送信する。第２のサーバ４１は、管理しているサービス申込情報およびユーザ情報を情報端末１０Ｃに送信する。これにより、情報端末１０Ｃは、送信イベント情報、サービス申込情報およびユーザ情報を取得する。
【０１７７】
次に、情報端末１０Ｃは、表示ステップを行う（Ｓ４２）。より具体的には、Ｓ４１で取得された複数のイベント情報に、サービス申込情報（特定イベントの複数のサービスのうちユーザが申し込んだ少なくとも一のサービスの内容）に関連する情報である関連情報が含まれている場合に、その関連情報を、情報端末１０Ｃの表示部１０２に表示する。
【０１７８】
本実施の形態では、Ｓ４１には、情報端末１０Ｃに、Ｓ３０に含まれる保存ステップで第２のサーバ４１に保存されたサービス申込情報を送信し、情報端末１０Ｃにサービス申込情報を保存するステップが含まれている。
【０１７９】
また、Ｓ４１には、情報端末１０Ｃが、保存したサービス申込情報と、取得した複数のイベント情報とを比較して、複数のイベント情報にサービス申込情報を示唆する情報が含まれている場合に、複数のイベント情報に、関連情報が含まれていると判断するステップが含まれている。
【０１８０】
次に、実施の形態４に係る表示システムのより具体的な処理の流れについて説明する。
【０１８１】
図２２は、実施の形態４に係る表示方法の具体的な処理の流れを示すフローチャート図である。なお、図８および図１８と同様の要素には同一の符号を付しており、詳細な説明は省略する。
【０１８２】
なお、Ｓ３０の申込ステップは完了しているとする。また、ユーザは、図２に示すように表示ディスプレイ２０を見て、ユーザが申し込んだサービスに関連する情報があるかどうかを確認するため、情報端末１０Ｂを用いて表示ディスプレイ２０に向けてかざし操作を行うとする。また、Ｓ４０１およびＳ４０２と、Ｓ４０８およびＳ４０９とは、図８に示したＳ１１６およびＳ１１７と、サーバ４０を第１のサーバ４０Ｃとすれば同様の処理のため説明を省略する。
【０１８３】
Ｓ４０２において、情報端末１０Ｃは、第１のサーバ４０Ｃから送信イベント情報を受信した場合（Ｓ４０２でＹ）、第２のサーバ４１にユーザのサービス申込情報があるか否かを確認する（Ｓ４０３）。
【０１８４】
次に、第２のサーバ４１にサービス申込情報がある場合（Ｓ４０３でＹ）、第２のサーバ４１は、申込サービス情報を情報端末１０Ｃに送信する（Ｓ４０４）。
【０１８５】
次に、情報端末１０Ｃは、第２のサーバ４１からサービス申込情報を受信した場合（Ｓ４０５でＹ）、第１のサーバ４０Ｃから受信した送信イベント情報に第２のサーバから受信したサービス申込情報の関連情報が含まれるか否かを確認する（Ｓ４０６）。
【０１８６】
次に、情報端末１０Ｃは、送信イベント情報にサービス申込情報の関連情報が含まれる場合（Ｓ４０６でＹ）、その関連情報を表示部１０２に表示する（Ｓ４０７）。
【０１８７】
なお、Ｓ４０３において、第２のサーバ４１にユーザのサービス申込情報がない場合（Ｓ４０３でＮ）、Ｓ４０６において送信イベント情報にサービス申込情報の関連情報が含まれていない場合（Ｓ４０６でＮ）、第１のサーバ４０Ｃから受信した送信イベント情報を表示部１０２にそのまま表示する（Ｓ４１０）。
【０１８８】
４．４  効果
以上、実施の形態４によれば、サービス申込情報を第２のサーバ４１で管理する。第２のサーバ４１は、そのサービス申込情報を情報端末１０Ｃに送信する。一方、第１のサーバ４０Ｃは、情報端末１０Ｃから受信したＩＤ情報に紐付けられた送信イベント情報を情報端末１０Ｃに送信する。情報端末１０Ｃは、サービス申込情報と送信イベント情報に基づいて関連情報を特定して表示する。
【０１８９】
これにより、ユーザは、情報端末１０Ｃを、表示ディスプレイ２０の表示面に向けてかざし操作することで、複数のイベント情報のうちユーザが申し込んだサービスの内容（サービス申込情報）に関する関連情報を、情報端末１０Ｃの表示部１０２に表示させることができる。
【０１９０】
以上のようにして、情報端末１０Ｃを用いるユーザは、電子看板等の表示ディスプレイ２０の表示面の所望の領域を選択しなくても、表示ディスプレイ２０からユーザの所望する情報を、時間を要さずに取得して情報端末１０Ｃに表示させることができる。
【０１９１】
（実施の形態５）
実施の形態１〜４では、ユーザが予め申し込んだサービスの内容を示すサービス申込情報があり、表示ディスプレイ２０に複数のイベントが表示されている場合に、情報端末をかざし操作して可視光通信を行うことで、サービス申込情報の関連情報を、情報端末に表示させる場合について説明したが、それに限られない。サービス申込情報の関連情報ではなくユーザが嗜好する商品情報であってもよい。
【０１９２】
以下、実施の形態５に係る表示システム１Ｄについて図面を参照しながら説明する。
【０１９３】
５．１  表示システム１Ｄの全体構成
図２３は、実施の形態５に係る表示システムの全体構成の一例を示す図である。なお、図１と同様の要素には同一の符号を付しており、詳細な説明は省略する。
【０１９４】
図２３に示す表示システム１Ｄは、情報端末１０Ｄ、表示ディスプレイ２０、および、サーバ４０Ｄから構成され、情報端末１０Ｄとサーバ４０Ｄはネットワーク３０で接続されている。
【０１９５】
ここで、情報端末１０Ｄは、情報端末１０同様に、例えば携帯電話、スマートフォン、タブレットといった携帯可能な機器である。
【０１９６】
５．２  表示システム１Ｄの使用場面
図２４は、実施の形態５に係る表示システムの使用場面の一例を示す図である。
【０１９７】
実施の形態１〜４と同様に、図２４に示すように、ユーザは表示ディスプレイ２０と一定の距離（図で距離ｄ）離れた状態で情報端末１０Ｄを表示ディスプレイ２０の表示面に向けてかざし操作を行うことで、情報端末１０Ｄに複数の商品情報を表示する表示ディスプレイ２０と可視光通信を行わせ、情報端末１０Ｄの表示部１０２に商品情報を表示させる。詳細は後述するが、本実施の形態では、情報端末１０Ｄは、複数の商品情報を取得し、ユーザの属性情報に基づいて抽出された商品情報を表示部１０２に表示する。
【０１９８】
ここで、商品情報とは、例えば商品の品名、価格、在庫情報、商品のターゲットとなる年齢、性別などである。また、ユーザの属性情報とは、例えばユーザの年齢、性別、購買履歴、嗜好特定である。
【０１９９】
５．３  情報端末１０Ｄの構成
図２５は、実施の形態５に係る情報端末の構成の一例を示すブロック図である。なお、図３と同様の要素には同一の符号を付しており、詳細な説明は省略する。
【０２００】
図２５に示す情報端末１０Ｄは、入力部１０１Ｄ、表示部１０２、表示制御部１０３Ｄ、通信部１０４Ｄ、ＩＤ受信部１０５、および、属性情報管理部１０７を備える。情報端末１０Ｄは、実施の形態１に係る情報端末１０に対して、申込情報管理部１０６に代えて属性情報管理部１０７が追加され、入力部１０１Ｄと表示制御部１０３Ｄと通信部１０４Ｄの機能が一部異なる。
【０２０１】
入力部１０１Ｄは、情報端末１０Ｄを使用するユーザの操作を検出し、検出した操作により入力される情報等が入力される。検出されるユーザの操作には、ユーザ情報を入力する操作や、ユーザの属性情報の入力操作、商品購入操作、表示ディスプレイへのかざし操作などがある。
【０２０２】
表示部１０２は、ユーザの属性情報に適した商品情報を表示する。本実施の形態では、表示部１０２は、表示制御部１０３により取得された複数の商品情報（送信商品情報とも記載）に、ユーザの属性情報に適する商品情報が含まれている場合に、その商品情報のみを表示する。
【０２０３】
属性情報管理部１０７は、ユーザ情報とユーザの属性情報とを紐づけて管理する。
【０２０４】
表示制御部１０３Ｄは、サーバ４０Ｄから受信した送信商品情報と、ユーザの属性情報とを取得し、送信商品情報に含まれるユーザの属性情報に適した商品情報（特定商品情報）を抽出して表示部１０２に表示させる。
【０２０５】
より具体的には、表示制御部１０３Ｄは、複数の商品情報を表示する表示ディスプレイ２０の表示面に向けて情報端末１０Ｄをかざすことで情報端末１０Ｄが表示ディスプレイ２０と可視光通信を行うことにより、ＩＤ情報を取得し、取得したＩＤ情報を、サーバ４０Ｄに送信する。そして、表示制御部１０３Ｄは、サーバ４０Ｄから、上記ＩＤ情報に紐付けられた情報として送信商品情報（表示ディスプレイ２０に表示されている複数の商品情報）を取得する。表示制御部１０３Ｄは、取得した送信商品情報に、ユーザの属性情報に適した商品情報（特定商品情報）が含まれている場合に、その特定商品情報を抽出して、表示部１０２に送信して表示させる。
【０２０６】
ここで、例えば表示制御部１０３Ｄは、ユーザの属性情報に含まれるユーザの性別と送信商品情報に含まれる性別情報とを比較、または、ユーザの属性情報に含まれる年齢と送信商品情報に含まれる年齢情報とを比較することにより、特定商品情報を抽出するとしてもよい。なお、属性情報には、ユーザの性別および年齢のうちの少なくとも一方が含まれ、商品情報には、商品の情報に加えて、商品に適した性別情報および年齢情報のうちの少なくとも一方が含まれている。
【０２０７】
また、例えば表示制御部１０３Ｄは、嗜好特性を用いて、取得した送信商品情報のうちから、ユーザの属性情報に適した特定商品情報を抽出するとしてもよい。なお、属性情報には、ユーザの嗜好特性が含まれており、嗜好特定は、ユーザの購買履歴に基づいて決定されているとする。
【０２０８】
通信部１０４Ｄは、サーバ４０Ｄとネットワーク３０を介して通信する。具体的には、通信部１０４Ｄは、表示ディスプレイ２０より取得したＩＤ情報をサーバ４０Ｄに送信する。また、通信部１０４Ｄは、サーバ４０Ｄから、上記ＩＤ情報に紐付けられた送信商品情報を受信して、表示制御部１０３に送信する。
【０２０９】
以上のようにして、情報端末１０Ｄを用いるユーザは、電子看板等の表示ディスプレイ２０の表示面の所望の領域を選択しなくても、表示ディスプレイ２０からユーザの所望する情報を、時間を要さずに取得して情報端末１０Ｄに表示させることができる。より具体的には、情報端末１０Ｄは、表示ディスプレイ２０の表示面に向けてかざし操作されることで、複数の商品情報を表示する表示ディスプレイ２０と可視光通信を行うことにより、送信商品情報を取得して、送信商品情報のうちユーザの属性情報に適した特定商品情報を抽出して表示部１０２に表示することができる。
【０２１０】
５．４  サーバ４０Ｄの構成
図２６は、実施の形態５に係るサーバの構成の一例を示すブロック図である。なお、図６と同様の要素には同一の符号を付しており、詳細な説明は省略する。
【０２１１】
図２６に示すサーバ４０Ｄは、通信部４０１Ｄ、および、商品情報管理部４０６、および、送信商品情報特定部４０７を備える。
【０２１２】
通信部４０１Ｄは、情報端末１０Ｄとネットワーク３０を介して通信する。具体的には、通信部４０１Ｄは、情報端末１０より送信されたＩＤ情報を受信する。また、通信部４０１Ｄは、情報端末１０Ｄに、上記ＩＤ情報に紐付けられた送信商品情報を送信する。
【０２１３】
商品情報管理部４０６は、ＩＤ情報と複数の商品情報とを紐づけて管理する。本実施の形態では、表示ディスプレイ２０が発信するＩＤ情報と表示ディスプレイ２０に表示された複数の商品情報とを紐付けて管理している。
【０２１４】
送信商品情報特定部４０７は、情報端末１０Ｄより送信されたＩＤ情報（表示ディスプレイ２０が発信するＩＤ情報）に紐付けられた情報として、表示ディスプレイ２０に表示された複数の商品情報を送信商品情報として特定して取得する。送信商品情報特定部４０７は、通信部４０１Ｄを介して、情報端末１０Ｄに送信商品情報を送信する。
【０２１５】
以上のように、サーバ４０Ｄは、情報端末１０Ｄにより送信されたＩＤ情報から、表示ディスプレイ２０に表示された複数の商品情報を特定し、特定した複数の商品情報を送信商品情報として情報端末１０Ｄに送信する。
【０２１６】
５．５  表示システム１Ｄの動作
次に、表示システム１Ｄの動作について説明する。
【０２１７】
図２７は、実施の形態５に係る表示システムの表示方法の処理の流れを示すフローチャートである。
【０２１８】
まず、ユーザは、情報端末１０Ｄを用いて、登録ステップを行う（Ｓ５０）。より具体的には、ユーザは、情報端末１０Ｄを用いて、ユーザの属性情報を、情報端末１０Ｄに登録する。
【０２１９】
次に、情報端末１０Ｄは、取得ステップを行う（Ｓ５１）。より具体的には、複数の商品情報を表示する表示ディスプレイ２０の表示面に向けて情報端末１０Ｄがかざし操作されることで情報端末１０Ｄが表示ディスプレイ２０と可視光通信を行うことにより、複数の商品情報を取得する。
【０２２０】
次に、情報端末１０Ｄは、表示ステップを行う（Ｓ５２）。より具体的には、Ｓ５１で取得した複数の商品情報のうちから、Ｓ５０で登録されたユーザの属性情報に適した特定の商品情報（特定商品情報）を抽出し、抽出した特定商品情報を情報端末１０Ｄの表示部１０２に表示する。
【０２２１】
次に、実施の形態５に係る表示システムのより具体的な処理の流れについて説明する。
【０２２２】
図２８は、実施の形態５に係る表示方法の具体的な処理の流れを示すフローチャート図である。なお、図８と同様の要素には同一の符号を付しており、詳細な説明は省略する。
【０２２３】
ここで、Ｓ５０の登録ステップは完了しているとする。そして、ユーザは、図２４に示すように複数の商品情報を表示する表示ディスプレイ２０を見て、ユーザに適する商品情報があるかどうかを確認するため、情報端末１０Ｄの可視光通信を行うためのアプリケーションを立ち上げて、情報端末１０Ｄを用いて表示ディスプレイ２０に向けてかざし操作を行うとする。
【０２２４】
図２８に示すＳ１１１〜Ｓ１１４は、サーバ４０がサーバ４０Ｄ、情報端末１０が情報端末１０Ｄであるとすれば図８に示すＳ１１１〜Ｓ１１４と同様の処理のため説明を省略する。
【０２２５】
また、図２８に示すＳ５０１〜Ｓ５０３は、サーバ４０がサーバ４０Ｄ、情報端末１０が情報端末１０Ｄおよび送信イベント情報を送信商品情報であるとすれば図８に示すＳ１１５〜Ｓ１１７と、同様の処理のため説明を省略する。
【０２２６】
次に、Ｓ５０４において、情報端末１０Ｄは、ユーザの属性情報があるか否かを確認し、ユーザの属性情報がある場合（Ｓ５０４でＹ）、情報端末１０Ｄは、属性情報管理部１０７からユーザの属性情報を取得し（Ｓ５０５）、サーバ４０Ｄから受信した送信商品情報から属性情報に適した商品情報（特定商品情報）を抽出する（Ｓ５０６）。
【０２２７】
次に、情報端末１０Ｄは、属性情報に適した商品情報があった場合（Ｓ５０７でＹ）、抽出した商品情報（特定商品情報）を表示部１０２に表示する（Ｓ５０８）。
【０２２８】
なお、Ｓ５０４において、情報端末１０Ｄに、ユーザの属性情報がない場合（Ｓ５０４でＮ）、およびＳ５０７において、属性情報に適した商品情報がないことを確認した場合（Ｓ５０７でＮ）には、情報端末１０Ｄは、サーバ４０Ｄから受信した送信商品情報を表示部１０２にそのまま表示する（Ｓ５０９）。
【０２２９】
５．６  効果
以上、実施の形態５によれば、ユーザの属性情報を情報端末１０Ｄで管理し、情報端末１０Ｄで属性情報に適した商品情報を判定する。これにより、ユーザは、情報端末１０Ｄを、表示ディスプレイ２０の表示面に向けてかざし操作することで、複数の商品情報のうちユーザの属性情報に適した商品情報を、情報端末１０Ｄの表示部１０２に表示させることができる。
【０２３０】
それにより、情報端末１０Ｄを用いるユーザは、電子看板等の表示ディスプレイ２０の表示面の所望の領域を選択しなくても、表示ディスプレイ２０からユーザの所望する情報を、時間を要さずに取得して情報端末１０Ｄに表示させることができる。
【０２３１】
ここで、表示部１０２に表示される関連情報について例を挙げて説明する。
【０２３２】
図２９および図３０は、実施の形態５に係る情報端末の表示部に表示される商品情報の一例を示す図である。
【０２３３】
例えば図２９に示すように、ユーザは、複数の商品情報としてチラシのように衣服等の商品の写真と値段とを表示する表示ディスプレイ２０を見て、ユーザの好みや年齢、性別等に合った商品などユーザに適した商品情報があるかどうかを確認することができる。すなわち、ユーザは、情報端末１０Ｄを用いて商品の写真と値段とを表示する表示ディスプレイ２０に向けてかざし操作を行うことで、表示ディスプレイ２０にユーザの属性情報に適した商品情報（特定商品情報）が表示されている場合には、情報端末１０Ｄの表示部１０２に、特定商品情報を表示させることができる。
【０２３４】
また、例えば図３０に示すように、ユーザは、複数の商品情報としてファストフード店の商品メニュを表示する表示ディスプレイ２０を見て、ユーザの好みや年齢、性別等に合った商品などユーザに適した商品情報があるかどうかを確認することができる。すなわち、ユーザは、情報端末１０Ｄを用いて商品メニュを表示する表示ディスプレイ２０に向けてかざし操作を行うことで、表示ディスプレイ２０にユーザの属性情報に適した商品情報（特定商品情報）が表示されている場合には、情報端末１０Ｄの表示部１０２に、お薦めの商品として特定商品情報を表示させることができる。
【０２３５】
ここで、属性情報には、ユーザの性別および年齢のうちの少なくとも一方が含まれ、商品情報には、商品の情報に加えて、その商品に適した性別情報および年齢情報のうちの少なくとも一方が含まれている。そのため、情報端末１０Ｄは、属性情報に含まれるユーザの性別と商品情報に含まれる性別情報とを比較、または、属性情報に含まれる年齢と商品情報に含まれる年齢情報とを比較することにより、特定商品情報を抽出して表示部１０２に表示することができる。
【０２３６】
なお、属性情報には、ユーザの嗜好特性を含まれているとしてもよい。この場合、Ｓ５０の登録ステップに代えてまたは加えて、ユーザの購買履歴に基づいて、嗜好特性を決定する決定ステップを行う。情報端末１０Ｄは、決定ステップで決定された嗜好特性を用いて、取得した複数の商品情報（送信商品情報）のうちから、ユーザの属性情報に適した特定商品情報を抽出して、表示部１０２に表示することができる。ここで、ユーザの購買履歴に基づく嗜好特性に適した特定商品は、例えば、過去に購入したことのある商品、過去に購入したことのある商品の関連商品、過去に購入したことのない商品およびその関連商品を除いた商品である。
【０２３７】
（実施の形態６）
実施の形態５では、情報端末１０Ｄが属性情報管理部１０７を備え、ユーザ情報と属性情報とを紐づけて管理する場合について説明したが、それに限られない。実施の形態６では、サーバ４０Ｅが申込情報管理部を備え、ユーザ情報と属性情報とを紐づけて管理する場合について図３１〜図３４を用いて説明する。
【０２３８】
以下、実施の形態５と異なるところを中心に説明する。
【０２３９】
６．１  情報端末１０Ｅの構成
図３１は、実施の形態６に係る情報端末の構成の一例を示すブロック図である。なお、図１３Ａおよび図２５と同様の要素には同一の符号を付しており、詳細な説明は省略する。
【０２４０】
図３１に示す情報端末１０Ｅは、実施の形態５に係る情報端末１０Ｄに対して、属性情報管理部１０７の構成がなく、表示制御部１０３Ｅと通信部１０４Ｅの機能が異なる。
【０２４１】
表示制御部１０３Ｅは、サーバ４０Ｅから受信した商品情報（特定商品情報）を取得し、取得した特定商品情報を表示部１０２に送信する。
【０２４２】
なお、表示制御部１０３Ｅは、実施の形態５と同様に、表示ディスプレイ２０に表示されている複数の商品情報を受信するとしてもよい。
【０２４３】
通信部１０４Ｅは、サーバ４０Ｅとネットワーク３０を介して通信する。具体的には、通信部１０４Ｅは、表示ディスプレイ２０より取得したＩＤ情報と、入力部１０１で入力されたユーザ情報とをサーバ４０Ｅに送信する。通信部１０４Ｅは、サーバ４０Ｅにより、ユーザの属性情報に適した商品情報（特定商品情報）を受信して、表示制御部１０３Ｅに送信する。
【０２４４】
以上のように、情報端末１０Ｅを用いるユーザは、電子看板等の表示ディスプレイ２０の表示面の所望の領域を選択しなくても、表示ディスプレイ２０からユーザの所望する情報を、時間を要さずに取得して情報端末１０Ｅに表示させることができる。換言すると、情報端末１０Ｅは、表示ディスプレイ２０の表示面に向けてかざし操作されることで、複数の商品情報を表示する表示ディスプレイ２０と可視光通信を行うことにより、複数の商品情報のうちユーザの属性情報に適した商品情報を取得して、表示部１０２に表示することができる。
【０２４５】
６．２  サーバ４０Ｅの構成
図３２は、実施の形態６に係るサーバの構成の一例を示すブロック図である。なお、図２６と同様の要素には同一の符号を付しており、詳細な説明は省略する。
【０２４６】
図３２に示すサーバ４０Ｅは、実施の形態５に係るサーバ４０Ｄに対して、属性情報管理部４０８と特定商品情報抽出部４０９との構成が異なり、通信部４０１Ｅの機能が異なる。
【０２４７】
属性情報管理部４０８は、ユーザ情報とユーザの属性情報とを紐づけて管理する。本実施の形態では、属性情報管理部４０８は、情報端末１０Ｅで入力されたユーザのユーザ情報とユーザの属性情報とを保存し、それらユーザ情報と属性情報とを紐付けて管理する。
【０２４８】
特定商品情報抽出部４０９は、属性情報管理部４０８に保存（管理）されている情報端末１０Ｄより送信されたユーザの属性情報を取得する。特定商品情報抽出部４０９は、情報端末１０Ｅより送信されたＩＤ情報（表示ディスプレイ２０が発信するＩＤ情報）に紐付けられた情報として、表示ディスプレイ２０に表示された複数の商品情報を特定する。特定商品情報抽出部４０９は、特定した複数の商品情報にユーザの属性情報に適する商品情報が含まれている場合にその商品情報を特定商品情報として抽出し、通信部４０１Ｅを介して、情報端末１０Ｅに送信する。
【０２４９】
このようにして、特定商品情報抽出部４０９は、取得したＩＤ情報とユーザの属性情報とに基づいて特定商品情報を抽出する。
【０２５０】
通信部４０１Ｅは、情報端末１０Ｅとネットワーク３０を介して通信する。具体的には、通信部４０１Ｅは、情報端末１０Ｅより送信されたＩＤ情報とユーザの属性情報を受信する。また、通信部４０１Ｅは、上記のように特定商品情報抽出部４０９によりＩＤ情報と属性情報とに基づいて抽出された特定商品情報を情報端末１０Ｅに送信する。
【０２５１】
以上のように、サーバ４０Ｅは、情報端末１０Ｅにより送信されたＩＤ情報と属性情報管理部４０８で管理している属性情報とに基づいて、特定商品情報を抽出し、情報端末１０Ｅに送信する。
【０２５２】
６．３  表示システムの動作
次に、本実施の形態における表示システムの動作について説明する。
【０２５３】
図３３は、実施の形態６に係る表示システムの表示方法の処理の流れを示すフローチャートである。
【０２５４】
まず、ユーザは、例えば情報端末１０Ｅを用いて、登録ステップを行う（Ｓ６０）。より具体的には、ユーザは、情報端末１０Ｅを用いて、ユーザの属性情報を、情報端末１０Ｅに登録する。
【０２５５】
本実施の形態では、Ｓ６０には、ユーザの属性情報を、サーバ４０Ｅに保存する保存ステップが含まれる。
【０２５６】
次に、情報端末１０Ｅとサーバ４０Ｅとは、取得ステップを行う（Ｓ６１）。より具体的には、複数の商品情報を表示する表示ディスプレイ２０の表示面に向けてユーザが情報端末１０Ｅをかざすことで、情報端末１０Ｅが表示ディスプレイ２０と可視光通信を行う。そして、サーバ４０Ｅが、複数の商品情報を特定し特定商品情報を抽出して情報端末１０Ｅに送信することで、情報端末１０Ｅは、商品情報（特定商品情報）を取得する。
【０２５７】
次に、情報端末１０Ｅは、表示ステップを行う（Ｓ６２）。より具体的には、Ｓ６１で取得された特定商品情報を、情報端末１０Ｅの表示部１０２に表示する。
【０２５８】
次に、実施の形態６に係る表示システムのより具体的な処理の流れについて説明する。
【０２５９】
図３４は、実施の形態６に係る表示方法の具体的な処理の流れを示すフローチャート図である。なお、図１５、図２８と同様の要素には同一の符号を付しており、詳細な説明は省略する。
【０２６０】
ここで、Ｓ６０の登録ステップは完了しているとする。また、ユーザは、図２４に示すように表示ディスプレイ２０を見て、ユーザに適した商品情報があるかどうかを確認するため、情報端末１０Ｅを用いて表示ディスプレイ２０に向けてかざし操作を行うとする。
【０２６１】
図３１に示すＳ１１１〜Ｓ６０３は、サーバ４０Ａがサーバ４０Ｅ、情報端末１０Ａが情報端末１０Ｅであるとすれば図１５に示すＳ１１１〜Ｓ２１３と同様の処理のため説明を省略する。
【０２６２】
また、図３１に示すＳ６０４〜Ｓ６０７およびＳ６１０〜Ｓ６１５は、サーバ４０Ａがサーバ４０Ｅ、情報端末１０Ａが情報端末１０Ｅ、送信イベント情報が送信商品情報、および関連情報が特定商品情報であるとすれば図１５に示すＳ１１５〜Ｓ２１８、Ｓ２２１〜Ｓ２２３、および、Ｓ２１５〜Ｓ２２０と同様の処理のため説明を省略する。
【０２６３】
また、図３１に示すＳ６０８およびＳ６０９は、サーバ４０Ａがサーバ４０Ｅ、情報端末１０Ａが情報端末１０Ｅであるとし、情報端末１０Ｅではなくサーバ４０Ｅ側での処理とすれば図２８に示すＳ５０５およびＳ５０６と同様の処理のため説明を省略する。
【０２６４】
６．４  効果
以上、実施の形態６によれば、ユーザの属性情報をサーバ４０Ｅで管理し、サーバ４０Ｅで属性情報に適した商品情報（特定商品情報）を抽出する。ユーザは、情報端末１０Ｅを、表示ディスプレイ２０の表示面に向けてかざし操作することで、複数の商品情報のうちユーザの属性情報に適する特定商品情報を、情報端末１０Ｅの表示部１０２に表示させることができる。
【０２６５】
それにより、情報端末１０Ｅを用いるユーザは、電子看板等の表示ディスプレイ２０の表示面の所望の領域を選択しなくても、表示ディスプレイ２０からユーザの所望する情報を、時間を要さずに取得して情報端末１０Ｅに表示させることができる。
【０２６６】
（その他の実施の形態）
以上、実施の形態に係る表示方法および表示システムについて説明したが、本発明は、上記実施の形態に限定されるものではない。
【０２６７】
（１）上記実施の形態１〜４では、送信イベント情報に関連情報が含まれている場合に、その関連情報を情報端末１０等の表示部１０２に表示するとしたがそれに限らない。送信イベント情報に関連情報が含まれるが関連情報の一部が異なる（変更されている）場合に、関連情報の異なる部分がわかるようにアラート通知するとしてもよい。
【０２６８】
図３５〜図３７は、その他の実施の形態に係る情報端末の表示部に表示されるアラート通知の一例を示す図である。すなわち、図９〜図１１と比較すればわかるように、図３５〜図３７では関連情報の一部が変更されている場合に、その変更された情報を「変更のご連絡」としてユーザに通知（アラート通知）している。
【０２６９】
（２）（１）と同様に、上記実施の形態５および６では、送信商品情報にユーザの属性情報に適する商品情報が含まれている場合に、その商品情報（特定商品情報）を情報端末１０Ｄ等の表示部１０２に表示するとしたがそれに限らない。図３８に示すように、送信商品情報にユーザの属性情報に適する商品情報（特定商品情報）が含まれるがその商品情報（特定商品情報）の一部が変更されている場合に、特定商品情報のうち変更された部分がわかるようにアラート通知するとしてもよい。ここで、図３８は、その他の実施の形態に係る情報端末の表示部に表示されるアラート通知の一例を示す図である。
【０２７０】
（３）また、上記（２）において、アラート通知する内容は、特定商品情報の一部が変更されている場合に限らない。特定商品情報に含まれる価格が、過去の特定商品情報に含まれる価格のうちの最も安い価格（最安値）の場合に、アラート通知するとしてもよい。
【０２７１】
より具体的には、商品情報には、商品の価格が含まれ、さらに、過去に取得された過去の複数の商品情報を記録されている場合、情報端末１０Ｄ等は、抽出された特定商品情報に含まれる価格が、過去の複数の商品情報に含まれる特定商品情報に対応する商品情報に含まれる価格よりも安い場合には、アラート通知するとしてもよい。
【０２７２】
ここで、図３９は、その他の実施の形態に係る情報端末の表示部に表示されるアラート通知の一例を示す図である。つまり、例えば図３９に示すように特定商品情報に含まれる価格が過去の最安値よりも安い場合に、お得価格である旨と商品名とをアラート通知するとしてもよい。これにより、ユーザは嗜好に合った商品を買いやすくなる（購買意欲が高まる）。
【０２７３】
（４）また、上記（２）において、アラート通知する内容は、特定商品情報の一部が変更されている場合に限らない。例えば、複数の商品を表示している表示ディスプレイ２０が属するお店において、特定商品情報の在庫がない（在庫がゼロ）の場合に、特定商品情報の代わりに、その特定商品情報に示される商品の購入ウェブサイトなどを表示するとしてもよい。
【０２７４】
より具体的には、商品情報に、商品の在庫情報が含まれる場合に、情報端末１０Ｅ等は、在庫情報により、抽出した特定商品情報に示される商品の在庫が切れていることを確認した場合には、特定商品情報の代わりに、インターネットから購入するためのウェブサイトを表示部１０２に表示するとしてもよい。
【０２７５】
ここで、図４０は、その他の実施の形態に係る情報端末の表示部に表示されるアラート通知の一例を示す図である。つまり、例えば図４０に示すように表示ディスプレイ２０が属するお店において特定商品情報に示される商品の在庫がない場合に、特定商品情報の代わりに、インターネットから購入するためのウェブサイトを表示部１０２に表示するとしてもよい。これにより、ユーザは嗜好に合った商品を買いやすくなる（購買意欲が高まる）。
【０２７６】
（５）上記実施の形態１〜４では、送信イベント情報に関連情報が含まれている場合に、その関連情報を情報端末１０等の表示部１０２に表示する例について説明したが、それに限らない。送信イベント情報に関連情報が含まれる場合に、さらに、情報端末１０等の表示部１０２に表示すべき言語である表示言語を選択するための言語情報に基づき選択された表示言語に関連情報を翻訳して表示するとしてもよい。
【０２７７】
ここで、選択される表示言語としては、スペイン、日本語、英語など、情報端末１０が存する地域の公用語であってもよいし、情報端末１０が存する地域で最も使われている言語であってもよい。また、選択される表示言語としては、情報端末１０を用いるユーザの母国語またはユーザの属する国の公用語であってもよいし、情報端末１０に予め設定されている言語でなく、情報端末１０等が情報を取得するサーバに設定されている言語であってもよい。
【０２７８】
このように、関連情報を示す言語と、表示言語とをマッチングし、両者が異なる場合には、表示言語に翻訳して表示することにより、ユーザの所望する情報をユーザに適した言語で表示させることができる。
【０２７９】
（６）上記実施の形態５および６では、送信商品情報にユーザの属性情報に適する商品情報が含まれている場合に、その商品情報（特定商品情報）を情報端末１０Ｄ等の表示部１０２に表示する例について説明としたがそれに限らない。属性情報には、さらに、情報端末１０等の表示部１０２に表示すべき言語である表示言語を選択するための言語情報が含まれているとしてもよい。
【０２８０】
この場合、送信商品情報にユーザの属性情報に適する商品情報が含まれている場合に、その商品情報（特定商品情報）を、言語情報に基づき選択された表示言語に翻訳して表示するとしてもよい。
【０２８１】
ここで、選択される表示言語としては、上記（５）と同様に、スペイン、日本語、英語など、情報端末１０が存する地域の公用語であってもよいし、情報端末１０が存する地域で最も使われている言語であってもよい。また、選択される表示言語としては、情報端末１０を用いるユーザの母国語またはユーザの属する国の公用語であってもよいし、情報端末１０に予め設定されている言語でなく、情報端末１０等が情報を取得するサーバに設定されている言語であってもよい。
【０２８２】
このように、商品情報（特定商品情報）を示す言語と、表示言語とをマッチングし、両者が異なる場合には、表示言語に翻訳して表示することにより、ユーザの所望する情報をユーザに適した言語で表示させることができる。
【０２８３】
以上、本発明の一つまたは複数の態様に係る表示方法および表示システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０２８４】
例えば以下のような場合も本発明の態様の範囲内に含まれるとしてもよい。
【０２８５】
（１）上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０２８６】
（２）上記各実施の形態における表示システムが備える構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。
【０２８７】
システムＬＳＩは、複数の構成部を１個のチップ上に集積して製造された超多機能ＬＳＩであり、具体的には、マイクロプロセッサ、ＲＯＭ（Ｒｅａｄ  Ｏｎｌｙ  Ｍｅｍｏｒｙ）、ＲＡＭ（Ｒａｍｄｏｍ  Ａｃｃｅｓｓ  Ｍｅｍｏｒｙ）等を含んで構成されるコンピュータシステムである。前記ＲＯＭには、コンピュータプログラムが記憶されている。前記マイクロプロセッサが、前記コンピュータプログラムに従って動作することにより、システムＬＳＩは、その機能を達成する。
【０２８８】
なお、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）、あるいはＬＳＩ内部の回路セルの接続や設定を再構成可能なリコンフィギュラブル・プロセッサを利用してもよい。
【０２８９】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２９０】
（３）上記各実施の形態において、サービス申込を行う情報端末と、表示ディスプレイと可視光通信を行う情報端末とは別の端末としてもよい。
【０２９１】
（４）上記各実施の形態の表示ステップにおいて、表示ディスプレイから取得した複数のイベント情報の言語情報と、申込サービス情報の言語情報が異なる場合に、複数のイベント情報をサービス申込情報の言語情報で翻訳した上で、複数のイベント情報に、サービス申込情報の関連情報が含まれているかを判定し、含まれている場合に、サービス申込情報の関連情報を、情報端末に表示するとしてもよい。
【０２９２】
（５）上記各実施の形態の表示ステップにおいて、サービス申込情報に関連する情報やアラート通知の表示とともに、併せてサービス申込情報の変更やキャンセル、追加申込が行える入力画面を追加で表示するとしてもよい。
【０２９３】
（６）上記各実施の形態の取得ステップにおける複数のイベント情報取得時の表示ディスプレイの認識方法は、可視光通信に限らない。例えば、情報端末で撮影した表示ディスプレイの撮影画像解析による画像特徴量を活用した画像認識や、表示ディスプレイに設置した音波発生装置による音波通信や、表示ディスプレイに内蔵したＢｌｕｅｔｏｏｔｈ（登録商標）機能やＮＦＣ（Ｎｅａｒ  ｆｉｅｌｄ  ｃｏｍｍｕｎｉｃａｔｉｏｎ）機能による近接無線通信や、表示ディスプレイ付近に設置した無線ＬＡＮ（Ｌｏｃａｌ  Ａｒｅａ  Ｎｅｔｗｏｒｋ）のアクセスポイントによる無線通信や、表示ディスプレイに設置した画像マーカやＲＦＩＤ（Ｒａｄｉｏ  Ｆｒｅｑｕｅｎｃｙ  ＩＤｅｎｔｉｆｉｃａｔｉｏｎ）タグを活用した画像解析や、ＩＭＥＳ（Ｉｎｄｏｏｒ  ＭＥｓｓａｇｉｎｇ  Ｓｙｓｔｅｍ）、ＧＰＳ（Ｇｌｏｂａｌ  Ｐｏｓｉｔｉｏｎｉｎｇ  Ｓｙｓｔｅｍ）や携帯電話基地局による位置検出等を用いて、表示ディスプレイを認識するとしてもよい。
【０２９４】
（７）また、上記実施の形態１〜４において、情報端末またはサーバにサービス申込情報がない場合は、（ａ）表示ディスプレイから取得した複数のイベント情報をそのまま表示するとしてもよいし、（ｂ）表示ディスプレイに関するサービスの案内情報やサービス申込が行える入力画面を表示するとしてもよいし、（ｃ）これら（ａ）および（ｂ）を組み合わせて表示するとしてもよい。
【０２９５】
（８）また、上記実施の形態１〜４において、情報端末またはサーバにサービス申込情報はあるが、表示ディスプレイから取得した複数のイベント情報にサービス申込情報の関連情報が含まれない場合は、（ａ）表示ディスプレイから取得した複数のイベント情報をそのまま表示するとしてもよいし、（ｂ）サービス申込情報の変更やキャンセル、追加申込が行える入力画面を表示するとしてもよい。また、（ｃ）表示ディスプレイに今後表示予定の複数のイベント情報にサービス申込情報の関連情報が含まれるかを検索し、サービス情報が含まれる複数のイベント情報が存在した場合に、例えば、「Ｘ分後にあなたのサービス申込情報に関連する情報が表示予定です。」、「Ｙ時Ｚ分にあなたのサービス申込情報に関連する情報が表示予定です。」など、複数のイベント情報が表示ディスプレイに表示されるまでの時間を表す表示するとしてもよい。また、（ｄ）表示ディスプレイに今後表示予定の複数のイベント情報にサービス申込情報の関連情報が含まれるかを検索し、サービス申込情報が含まれる複数のイベント情報が存在した場合に、サービス申込情報の関連情報を表示してもよい。なお、（ａ）、（ｂ）、（ｃ）および（ｄ）を組み合わせて表示するとしてもよい。
【０２９６】
（９）また、上記実施の形態５および６において、ユーザの属性情報の入力を行う情報端末と、表示ディスプレイと可視光通信を行う情報端末とは別の端末であってもよい。
【０２９７】
（１０）上記実施の形態５および６の表示ステップにおいて、表示ディスプレイから取得した複数の商品情報の言語情報と、属性情報の言語情報が異なる場合に、複数の商品情報を属性情報の言語情報で翻訳した上で、複数の商品情報に、属性情報に適した商品情報が含まれているかを判定し、含まれている場合に、属性情報に適した商品情報を、情報端末に表示するとしてもよい。
【０２９８】
（１１）また、上記実施の形態５および６の表示ステップにおいて、属性情報に適した商品情報やアラート通知の表示とともに、属性情報に適した商品の予約あるいは購入が行える入力画面を追加で表示するとしてもよい。
【０２９９】
（１２）上記実施の形態５および６の取得ステップにおける複数の商品情報取得時の表示ディスプレイの認識方法は、可視光通信に限られない。上記（６）と同様に、情報端末で撮影した表示ディスプレイの撮影画像解析による画像特徴量を活用した画像認識や、表示ディスプレイに設置した音波発生装置による音波通信や、表示ディスプレイに内蔵したＢｌｕｅｔｏｏｔｈ（登録商標）機能やＮＦＣ（Ｎｅａｒ  ｆｉｅｌｄ  ｃｏｍｍｕｎｉｃａｔｉｏｎ）機能による近接無線通信や、表示ディスプレイ付近に設置した無線ＬＡＮ（Ｌｏｃａｌ  Ａｒｅａ  Ｎｅｔｗｏｒｋ）のアクセスポイントによる無線通信や、表示ディスプレイに設置した画像マーカやＲＦＩＤ（Ｒａｄｉｏ  Ｆｒｅｑｕｅｎｃｙ  ＩＤｅｎｔｉｆｉｃａｔｉｏｎ）タグを活用した画像解析や、ＩＭＥＳ（Ｉｎｄｏｏｒ  ＭＥｓｓａｇｉｎｇ  Ｓｙｓｔｅｍ）、ＧＰＳ（Ｇｌｏｂａｌ  Ｐｏｓｉｔｉｏｎｉｎｇ  Ｓｙｓｔｅｍ）や携帯電話基地局による位置検出等を用いて、表示ディスプレイを認識してもよい。
【０３００】
（１３）また、上記実施の形態５および６において、情報端末にユーザの属性情報がない場合は、（ａ）表示ディスプレイから取得した複数の商品情報をそのまま表示するとしてもよいし、（ｂ）ユーザの属性情報の入力画面を表示するとしてもよい。また、（ａ）、（ｂ）を組み合わせて表示するとしてもよい。
【０３０１】
（１４）また、上記実施の形態５および６において、情報端末にユーザの属性情報はあるが、表示ディスプレイから取得した複数の商品情報に属性情報に適した商品情報が含まれない場合は、（ａ）表示ディスプレイから取得した複数の商品情報をそのまま表示するとしてもよいし、（ｂ）属性情報の追加入力が行える入力画面を表示するとしてもよい。また、（ｃ）表示ディスプレイに今後表示予定の複数の商品情報に属性情報に適した商品情報が含まれるかを検索し、属性情報に適した商品情報が含まれる複数の商品情報が存在した場合に、例えば「Ｗ日後にあなたの属性情報に適した商品情報が表示予定です。」、「Ｘ時Ｙ分にあなたの属性情報に適した商品情報が表示予定です。」など、その複数の商品情報が表示ディスプレイに表示されるまでの時間を表す表示をするとしてもよい。また、（ｄ）表示ディスプレイに今後表示予定の複数の商品情報に属性情報に適した商品情報が含まれるかを検索し、属性情報に適した商品情報が含まれる複数の商品情報が存在した場合に、属性情報に適した商品情報を表示してもよい。なお、（ａ）、（ｂ）、（ｃ）および（ｄ）を組み合わせて表示してもよい。
【産業上の利用可能性】
【０３０２】
本発明は、表示方法に利用でき、特にスマートフォンなどの携帯端末を用いて、デジタルサイネージ等に向けてかざし操作をするだけで、ユーザの所望の情報を表示させることができる表示方法に利用できる。
【符号の説明】
【０３０３】
１、１Ｂ、１Ｄ  表示システム
１０、１０Ａ、１０Ｂ、１０Ｃ、１０Ｄ、１０Ｅ  情報端末
２０  表示ディスプレイ
３０  ネットワーク
４０、４０Ａ、４０Ｄ、４０Ｅ  サーバ
４０Ｂ、４０Ｃ  第１のサーバ
４１  第２のサーバ
１０１、１０１Ｄ  入力部
１０２、２０２  表示部
１０３、１０３Ａ、１０３Ｃ、１０３Ｄ、１０３Ｅ  表示制御部
１０４、１０４Ａ、１０４Ｂ、１０４Ｃ、１０４Ｅ、１０４Ｄ、４０１、４０１Ａ、４０１Ｂ、４０１Ｄ、４０１Ｅ、４１１  通信部
１０５  ＩＤ受信部
１０６、１０６Ｃ、４０４、４０４Ｂ、４１４  申込情報管理部
１０７、４０８  属性情報管理部
２０１  ＩＤ送信部
４０２  送信イベント情報特定部
４０３  イベント情報管理部
４０５、４０５Ｂ  関連情報特定部
４０６  商品情報管理部
４０７  送信商品情報特定部
４０９  特定商品情報抽出部
【図１】
2015111806.tif 000003
【図２】
2015111806.tif 000004
【図３】
2015111806.tif 000005
【図４】
2015111806.tif 000006
【図５】
2015111806.tif 000007
【図６】
2015111806.tif 000008
【図７】
2015111806.tif 000009
【図８】
2015111806.tif 000010
【図９】
2015111806.tif 000011
【図１０】
2015111806.tif 000012
【図１１】
2015111806.tif 000013
【図１２】
2015111806.tif 000014
【図１３Ａ】
2015111806.tif 000015
【図１３Ｂ】
2015111806.tif 000016
【図１４】
2015111806.tif 000017
【図１５】
2015111806.tif 000018
【図１６】
2015111806.tif 000019
【図１７】
2015111806.tif 000020
【図１８】
2015111806.tif 000021
【図１９】
2015111806.tif 000022
【図２０】
2015111806.tif 000023
【図２１】
2015111806.tif 000024
【図２２】
2015111806.tif 000025
【図２３】
2015111806.tif 000026
【図２４】
2015111806.tif 000027
【図２５】
2015111806.tif 000028
【図２６】
2015111806.tif 000029
【図２７】
2015111806.tif 000030
【図２８】
2015111806.tif 000031
【図２９】
2015111806.tif 000032
【図３０】
2015111806.tif 000033
【図３１】
2015111806.tif 000034
【図３２】
2015111806.tif 000035
【図３３】
2015111806.tif 000036
【図３４】
2015111806.tif 000037
【図３５】
2015111806.tif 000038
【図３６】
2015111806.tif 000039
【図３７】
2015111806.tif 000040
【図３８】
2015111806.tif 000041
【図３９】
2015111806.tif 000042
【図４０】
2015111806.tif 000043